(57)【特許請求の範囲】
【請求項１】
限定加入者グループを広告しているセルを選択することと、
前記選択されたセルに関連するワイヤレスネットワークを識別することと、
前記ワイヤレスネットワークの前記識別の結果として、前記識別されたワイヤレスネットワークが現在登録されているワイヤレスネットワーク又は好適なワイヤレスネットワークとは異なる場合に、第１のワイヤレスネットワーク選択モードから第２のワイヤレスネットワーク選択モードに切り替わることと、ここで、前記第１のワイヤレスネットワーク選択モードが自動ワイヤレス選択モードを備え、前記第２のワイヤレスネットワーク選択モードが手動ワイヤレス選択モードを備える、
前記識別されたワイヤレスネットワークに登録することと
を備える、通信の方法。
【請求項２】
前記識別されたワイヤレスネットワークが訪問先ワイヤレスネットワークを備え、
前記現在登録されているネットワークがホームワイヤレスネットワークを備える、請求項１に記載の方法。
【請求項３】
前記識別されたワイヤレスネットワークが訪問先ワイヤレスネットワークを備え、
前記現在好適であるネットワークがホームワイヤレスネットワークを備える、請求項１に記載の方法。
【請求項４】
前記識別されたワイヤレスネットワークがパブリックランドモバイルネットワークを備える、請求項１に記載の方法。
【請求項５】
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、請求項１に記載の方法。
【請求項６】
前記第１のワイヤレスネットワーク選択モードが自動パブリックランドモバイルネットワーク選択モードを備える、請求項１に記載の方法。
【請求項７】
前記第２のワイヤレスネットワーク選択モードが手動パブリックランドモバイルネットワーク選択モードを備える、請求項６に記載の方法。
【請求項８】
前記第１のワイヤレスネットワーク選択モードが、マクロセルにキャンプしているときに使用されるように定義され、
前記第２のワイヤレスネットワーク選択モードが、限定加入者グループセルにキャンプしているときに使用されるように定義される、請求項１に記載の方法。
【請求項９】
前記セルの前記選択が前記セルにキャンプすることを生じ、前記方法が、
前記第１のワイヤレスネットワーク選択モードの記録を維持することと、
前記セルに前記キャンプすることまたは前記限定加入者グループの別のセルにキャンプすることが終了したと判断することと、
前記判断に基づいて、前記記録によって識別される前記第１のワイヤレスネットワーク選択モードに戻ることと
をさらに備える、請求項１に記載の方法。
【請求項１０】
前記セルまたは前記限定加入者グループの別のセルにそのキャンプすることが終了したという前記判断の後、規定された時間期間内に、前記セルまたは前記別のセルのワイヤレスカバレージに入った場合、通信を確立するために前記セルまたは前記限定加入者グループの前記別のセルを選択することをさらに備える、請求項９に記載の方法。
【請求項１１】
通信の前記確立が、ページ、データ、およびブロードキャスト情報からなるグループのうちの少なくとも１つを受信するために、前記セルまたは前記別のセルにアクセスすること、または前記セルまたは前記別のセルにキャンプすることを備える、請求項９に記載の方法。
【請求項１２】
限定加入者グループを広告しているセルを選択するように構成されたセルセレクタと、
前記選択されたセルに関連するワイヤレスネットワークを識別するように構成され、前記ワイヤレスネットワークの前記識別の結果として、前記識別されたワイヤレスネットワークが現在登録されているワイヤレスネットワーク又は好適なワイヤレスネットワークとは異なる場合に、第１のワイヤレスネットワーク選択モードから第２のワイヤレスネットワーク選択モードに切り替えるようにさらに構成されたネットワークセレクタと、ここで、前記第１のワイヤレスネットワーク選択モードが自動ワイヤレス選択モードを備え、前記第２のワイヤレスネットワーク選択モードが手動ワイヤレス選択モードを備える、
前記識別されたワイヤレスネットワークに登録するように構成された通信コントローラと
を備える、通信のための装置。
【請求項１３】
前記識別されたワイヤレスネットワークが訪問先ワイヤレスネットワークを備え、
前記現在登録されているネットワークがホームワイヤレスネットワークを備える、請求項１２に記載の装置。
【請求項１４】
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、請求項１２に記載の装置。
【請求項１５】
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、請求項１２に記載の装置。
【請求項１６】
前記セルの前記選択が前記セルにキャンプすることを生じ、
前記ネットワークセレクタが、前記第１のワイヤレスネットワーク選択モードの記録を維持するようにさらに構成され、
前記通信コントローラが、前記セルに前記キャンプすることまたは前記限定加入者グループの別のセルにキャンプすることが終了したと判断するようにさらに構成され、
前記ネットワークセレクタが、前記判断に基づいて、前記記録によって識別される前記第１のワイヤレスネットワーク選択モードに戻るようにさらに構成された、請求項１２に記載の装置。
【請求項１７】
限定加入者グループを広告しているセルを選択するための手段と、
前記選択されたセルに関連するワイヤレスネットワークを識別するための手段と、
前記ワイヤレスネットワークの前記識別の結果として、前記識別されたワイヤレスネットワークが現在登録されているワイヤレスネットワーク又は好適なワイヤレスネットワークとは異なる場合に、第１のワイヤレスネットワーク選択モードから第２のワイヤレスネットワーク選択モードに切り替わるための手段と、ここで、前記第１のワイヤレスネットワーク選択モードが自動ワイヤレス選択モードを備え、前記第２のワイヤレスネットワーク選択モードが手動ワイヤレス選択モードを備える、
前記識別されたワイヤレスネットワークに登録するための手段と
を備える、通信のための装置。
【請求項１８】
前記識別されたワイヤレスネットワークが訪問先ワイヤレスネットワークを備え、
前記現在登録されているネットワークがホームワイヤレスネットワークを備える、請求項１７に記載の装置。
【請求項１９】
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、請求項１７に記載の装置。
【請求項２０】
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、請求項１７に記載の装置。
【請求項２１】
前記セルの前記選択が前記セルにキャンプすることを生じ、
前記装置が、前記第１のワイヤレスネットワーク選択モードの記録を維持するための手段をさらに備え、
前記装置が、前記セルに前記キャンプにすることまたは前記限定加入者グループの別のセルにキャンプすることが終了したと判断するための手段をさらに備え、
切替えのための前記手段が、前記判断に基づいて、前記記録によって識別される前記第１のワイヤレスネットワーク選択モードに戻るように構成される、請求項１７に記載の装置。
【請求項２２】
限定加入者グループを広告しているセルを選択することと、
前記選択されたセルに関連するワイヤレスネットワークを識別することと、
前記ワイヤレスネットワークの前記識別の結果として、前記識別されたワイヤレスネットワークが現在登録されているワイヤレスネットワーク又は好適なワイヤレスネットワークとは異なる場合に、第１のワイヤレスネットワーク選択モードから第２のワイヤレスネットワーク選択モードに切り替わることと、ここで、前記第１のワイヤレスネットワーク選択モードが自動ワイヤレス選択モードを備え、前記第２のワイヤレスネットワーク選択モードが手動ワイヤレス選択モードを備える、
前記識別されたワイヤレスネットワークに登録することと
をコンピュータに行わせるためのコードを備えるコンピュータ可読媒体
を備えるコンピュータプログラム製品。
【請求項２３】
前記識別されたワイヤレスネットワークが訪問先ワイヤレスネットワークを備え、
前記現在登録されているネットワークがホームワイヤレスネットワークを備える、請求項２２に記載のコンピュータプログラム製品。
【請求項２４】
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、請求項２２に記載のコンピュータプログラム製品。
【請求項２５】
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、請求項２２に記載のコンピュータプログラム製品。
【請求項２６】
前記セルの前記選択が前記セルにキャンプすることを生じ、
前記コンピュータ可読媒体が、前記コンピュータに、前記第１のワイヤレスネットワーク選択モードの記録を維持させるためのコードをさらに備え、
前記コンピュータ可読媒体が、前記コンピュータに、前記セルに前記キャンプすることまたは前記限定加入者グループの別のセルにキャンプすることが終了したと判断させるためのコードをさらに備え、
前記コンピュータ可読媒体が、前記コンピュータに、前記判断に基づいて、前記記録によって識別される前記第１のワイヤレスネットワーク選択モードに戻らせるためのコードをさらに備える、請求項２２に記載のコンピュータプログラム製品。
【請求項２７】
限定加入者グループのセルのワイヤレスネットワークが現在登録されているワイヤレスネットワーク又は好適なワイヤレスネットワークとは異なっていたことにより、第２のワイヤレスネットワーク選択モードから第１のワイヤレスネットワーク選択モードへの切り替えが行われていた後に、アクセス端末が限定加入者グループのセルにもはやキャンプされていないと判断することと、ここで、前記第２のワイヤレスネットワーク選択モードが自動ワイヤレス選択モードを備え、前記第１のワイヤレスネットワーク選択モードが手動ワイヤレス選択モードを備える、
前記判断の結果として、第１のワイヤレスネットワーク選択モードから第２のワイヤレスネットワーク選択モードに切り替わることと
を備える、通信の方法。
【請求項２８】
前記第１および第２のワイヤレスネットワーク選択モードが、第１および第２のパブリックランドモバイルネットワーク選択モードを備える、請求項２７に記載の方法。
【請求項２９】
前記第２のワイヤレスネットワーク選択モードが、前記アクセス端末によって、前記限定加入者グループの前記セルにキャンプするより前に使用されていたワイヤレスネットワーク選択モードを備え、前記方法が、前記切替え中に使用するための前記第２のワイヤレスネットワーク選択モードの記録を維持することをさらに備える、請求項２７に記載の方法。
【請求項３０】
前記第２のワイヤレスネットワーク選択モードが自動パブリックランドモバイルネットワーク選択モードを備える、請求項２９に記載の方法。
【請求項３１】
前記第１のワイヤレスネットワーク選択モードが手動パブリックランドモバイルネットワーク選択モードを備える、請求項３０に記載の方法。
【請求項３２】
前記第１のワイヤレスネットワーク選択モードが、限定加入者グループセルにキャンプしているときに使用されるように定義され、
前記第２のワイヤレスネットワーク選択モードが、マクロセルにキャンプしているときに使用されるように定義される、請求項２７に記載の方法。
【請求項３３】
前記セルが第１のワイヤレスネットワーク中にあり、
前記第１のワイヤレスネットワーク選択モードから前記第２のワイヤレスネットワーク選択モードへの前記切替えが、前記アクセス端末が、前記第１のワイヤレスネットワーク中にある前記限定加入者グループの別のセルを選択することができないかどうかに基づく、請求項２７に記載の方法。
【請求項３４】
前記アクセス端末が前記限定加入者グループのいずれのセルにもキャンプされなくなった後、前記アクセス端末が、規定された時間期間内に前記限定加入者グループの前記セルまたは別のセルのワイヤレスカバレージに入る場合、通信を確立するために前記セルまたは前記別のセルを選択することをさらに備える、請求項２７に記載の方法。
【請求項３５】
通信の前記確立が、ページ、データ、およびブロードキャスト情報からなるグループのうちの少なくとも１つを受信するために、前記セルまたは前記別のセルにアクセスすること、または前記セルまたは前記別のセルにキャンプすることを備える、請求項３４に記載の方法。
【請求項３６】
前記セルにキャンプすることが、前記セルからページを受信することと、前記セルとの通信を確立することと、前記セルからのブロードキャスト送信を復号することとからなるグループのうちの少なくとも１つを備える、請求項２７に記載の方法。
【請求項３７】
前記セルが訪問先ワイヤレスネットワーク上にあり、
前記アクセス端末が、前記切替えの結果として、ホームワイヤレスネットワーク上の別のセルにキャンプする、請求項２７に記載の方法。
【請求項３８】
限定加入者グループのセルのワイヤレスネットワークが現在登録されているワイヤレスネットワーク又は好適なワイヤレスネットワークとは異なっていたことにより、第２のワイヤレスネットワーク選択モードから第１のワイヤレスネットワーク選択モードへの切り替えが行われていた後に、アクセス端末が限定加入者グループのセルにもはやキャンプされていないと判断するように構成された通信コントローラと、ここで、前記第２のワイヤレスネットワーク選択モードが自動ワイヤレス選択モードを備え、前記第１のワイヤレスネットワーク選択モードが手動ワイヤレス選択モードを備える、
前記判断の結果として、第１のワイヤレスネットワーク選択モードから第２のワイヤレスネットワーク選択モードに切り替わるように構成されたネットワークセレクタと
を備える、通信のための装置。
【請求項３９】
前記第１および第２のワイヤレスネットワーク選択モードが、第１および第２のパブリックランドモバイルネットワーク選択モードを備える、請求項３８に記載の装置。
【請求項４０】
前記第２のワイヤレスネットワーク選択モードが、前記アクセス端末によって、前記限定加入者グループの前記セルにキャンプするより前に使用されていたワイヤレスネットワーク選択モードを備え、
前記ネットワークセレクタが、前記切替え中に使用するための前記第２のワイヤレスネットワーク選択モードの記録を維持するようにさらに構成された、請求項３８に記載の装置。
【請求項４１】
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、請求項４０に記載の装置。
【請求項４２】
前記セルが訪問先ワイヤレスネットワーク上にあり、
前記アクセス端末が、前記切替えの結果として、ホームワイヤレスネットワーク上の別のセルにキャンプする、請求項３８に記載の装置。
【請求項４３】
限定加入者グループのセルのワイヤレスネットワークが現在登録されているワイヤレスネットワーク又は好適なワイヤレスネットワークとは異なっていたことにより、第２のワイヤレスネットワーク選択モードから第１のワイヤレスネットワーク選択モードへの切り替えが行われていた後に、アクセス端末が限定加入者グループのセルにもはやキャンプされていないと判断するための手段と、ここで、前記第２のワイヤレスネットワーク選択モードが自動ワイヤレス選択モードを備え、前記第１のワイヤレスネットワーク選択モードが手動ワイヤレス選択モードを備える、
前記判断の結果として、第１のワイヤレスネットワーク選択モードから第２のワイヤレスネットワーク選択モードに切り替わるための手段と
を備える、通信のための装置。
【請求項４４】
前記第１および第２のワイヤレスネットワーク選択モードが、第１および第２のパブリックランドモバイルネットワーク選択モードを備える、請求項４３に記載の装置。
【請求項４５】
前記第２のワイヤレスネットワーク選択モードが、前記アクセス端末によって、前記限定加入者グループの前記セルにキャンプするより前に使用されていたワイヤレスネットワーク選択モードを備え、
前記装置が、前記切替え中に使用するための前記第２のワイヤレスネットワーク選択モードの記録を維持する手段をさらに備える、請求項４３に記載の装置。
【請求項４６】
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、請求項４５に記載の装置。
【請求項４７】
前記セルが訪問先ワイヤレスネットワーク上にあり、
前記アクセス端末が、前記切替えの結果として、ホームワイヤレスネットワーク上の別のセルにキャンプする、請求項４３に記載の装置。
【請求項４８】
限定加入者グループのセルのワイヤレスネットワークが現在登録されているワイヤレスネットワーク又は好適なワイヤレスネットワークとは異なっていたことにより、第２のワイヤレスネットワーク選択モードから第１のワイヤレスネットワーク選択モードへの切り替えが行われていた後に、アクセス端末が限定加入者グループのセルにもはやキャンプされていないと判断することと、ここで、前記第２のワイヤレスネットワーク選択モードが自動ワイヤレス選択モードを備え、前記第１のワイヤレスネットワーク選択モードが手動ワイヤレス選択モードを備える、
前記判断の結果として、第１のワイヤレスネットワーク選択モードから第２のワイヤレスネットワーク選択モードに切り替わることと
をコンピュータに行わせるためのコードを備えるコンピュータ可読媒体
を備えるコンピュータプログラム製品。
【請求項４９】
前記第１および第２のワイヤレスネットワーク選択モードが、第１および第２のパブリックランドモバイルネットワーク選択モードを備える、請求項４８に記載のコンピュータプログラム製品。
【請求項５０】
前記第２のワイヤレスネットワーク選択モードが、前記アクセス端末によって、前記限定加入者グループの前記セルにキャンプするより前に使用されていたワイヤレスネットワーク選択モードを備え、
前記コンピュータ可読媒体が、前記コンピュータに、前記切替え中に使用するための前記第２のワイヤレスネットワーク選択モードの記録を維持させるためのコードをさらに備える、請求項４８に記載のコンピュータプログラム製品。
【請求項５１】
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、請求項５０に記載のコンピュータプログラム製品。
【請求項５２】
前記セルが訪問先ワイヤレスネットワーク上にあり、
前記アクセス端末が、前記切替えの結果として、ホームワイヤレスネットワーク上の別のセルにキャンプする、請求項４８に記載のコンピュータプログラム製品。
【発明の詳細な説明】
【技術分野】
【０００１】
優先権の主張
本出願は、各々の開示が参照により本明細書に組み込まれる、２００８年１１月３日に出願され、代理人整理番号０９０２７５Ｐ１を付与された、同一出願人が所有する米国特許仮出願６１／１１０，７３３号、２００８年１１月１４日に出願され、代理人整理番号０９０２７５Ｐ２を付与された米国特許仮出願第６１／１１４，９４３号、２００８年１２月２３日に出願され、代理人整理番号０９０２７５Ｐ３を付与された米国特許仮出願第６１／１４０，５８８号、２００９年１月２６日に出願され、代理人整理番号０９０２７５Ｐ４を付与された米国特許仮出願第６１／１４７，４１５号の利益および優先権を主張する。
【０００２】
関連出願の相互参照
本出願は、その開示が参照により本明細書に組み込まれる、代理人整理番号０９０２７５Ｕ２を付与された、「SELECTION OF WIRELESS NETWORK IN CONJUNCTION WITH SELECTION OF A WIRELESS CELL SET」と題する、同時に出願され、同一出願人が所有する米国特許出願第 号に関する。
【０００３】
本出願は、一般にワイヤレス通信に関し、より詳細には、限定はしないが、ワイヤレスネットワーク選択に関する。
【背景技術】
【０００４】
序論
地理的エリアは、モバイルセルラーサービスを提供する、重複するパブリックランドモバイルネットワーク（ＰＬＭＮ: public land mobile networks）によってサービスされ得る。たとえば、同じ都市全体にわたって、異なるワイヤレスネットワーク事業者が異なるＰＬＭＮを展開することができ得る。いくつかの状況では、所与のアクセス端末（たとえば、セルフォン）は、これらの異なるＰＬＭＮにアクセスすることを可能にされ得る。したがって、そのようなアクセス端末は、所与の時点でどのＰＬＭＮを使用すべきかを選択するように構成でき得る。
【０００５】
場合によっては、アクセス端末は自動ＰＬＭＮ選択モードを採用することができ得る。ここで、アクセス端末は、利用可能なＰＬＭＮを断続的に監視し、指定された選択基準に基づいて新しいＰＬＭＮに自動的に切り替わることができ得る。典型的な場合には、選択基準は、複数のＰＬＭＮが利用可能である場合に、アクセス端末がＰＬＭＮを選択すべき順序を示すＰＬＭＮの優先リストを備える。他のタイプの選択基準を使用することもでき得る。たとえば、アクセス端末に対して現在最良のサービス品質を提供するＰＬＭＮに優先順位を与えることができ得る。
【０００６】
場合によっては、アクセス端末は手動ＰＬＭＮ選択モードを採用することができ得る。たとえば、現在利用可能なＰＬＭＮのリストをアクセス端末の画面に表示することができ得る。次いで、ユーザはＰＬＭＮのうちの１つを選択することができ得、アクセス端末はそのＰＬＭＮに切り替わる。自動ＰＬＭＮ選択モードとは対照的に、この場合、より高い優先順位の他のＰＬＭＮが利用可能である場合でも、アクセス端末はこのＰＬＭＮ上にとどまることになる。たとえば、異なるＰＬＭＮが手動で選択されるまで、または選択されたＰＬＭＮがアクセス端末にサービスを提供しなくなるまで、アクセス端末は、選択されたＰＬＭＮ上にとどまることができ得る。
【０００７】
アクセス端末はまた、ユーザが１つまたは複数のワイヤレスセル（たとえば、少なくとも１つのアクセスポイント）に関連する限定加入者グループ（ＣＳＧ: closed subscriber group）を手動で選択することを可能にするように構成でき得る。選択されたＣＳＧが、現在のＰＬＭＮとは異なるＰＬＭＮ中にある場合、ＣＳＧの選択に応答してＰＬＭＮ選択プロシージャを呼び出すことができ得る。そのような場合、ＰＬＭＮ選択プロシージャは望ましい結果を提供しないことがある。
【０００８】
たとえば、自動ＰＬＭＮ選択モードで動作しているアクセス端末は、選択されたＣＳＧにキャンプ（camp）されたままでいることができないことがある。自動ＰＬＭＮ選択モードは、指定された選択基準に基づいて（たとえば、バックグラウンド探索プロシージャがより高い優先順位のＰＬＭＮを検出した場合）別のＰＬＭＮに自動的に切り替わることができ得るので、これは事実であり得る。
【０００９】
さらに、手動ＰＬＭＮ選択モードで動作しているアクセス端末は、アクセス端末が、選択されたＣＳＧセルのカバレージエリアを出た後でさえ、新しいサービングＰＬＭＮ上にとどまることを試みることができ得る。そのＰＬＭＮ上でアクセス端末のための好適なセルが発見されない（たとえば、アクセス端末が、選択されたＣＳＧのセル以外のいずれのセルにもアクセスできない）場合、ユーザはサービスなしになる。したがって、別のＰＬＭＮを選択するためにはユーザ対話（user interaction）が必要になる。
【発明の概要】
【００１０】
本開示の例示的な態様の概要について以下で説明する。本明細書での説明では、態様という用語への言及は、本開示の１つまたは複数の態様を指すことがある。
【００１１】
本開示は、いくつかの態様では、１つまたは複数のワイヤレスセルに関連するワイヤレスセルセット（たとえば、ＣＳＧ）の手動選択の結果として、異なるワイヤレスネットワーク（たとえば、ＰＬＭＮ）選択モードに切り替わることに関する。たとえば、ＣＳＧを広告（advertising）しているセルの手動選択時に、選択されたセルに関連するワイヤレスネットワークが、現在登録されているワイヤレスネットワークまたは現在好適なワイヤレスネットワークとは異なる場合、アクセス端末は異なるワイヤレスネットワーク選択モードに切り替わることができ得る。特定の例として、アクセス端末のユーザが、現在のＰＬＭＮとは異なるＰＬＭＮ中のＣＳＧを選択した場合、アクセス端末は、現在のＰＬＭＮの記録と現在のＰＬＭＮ選択モードの記録とを維持することができ得、手動ＰＬＭＮ選択モードに入ることができ得る。次いで、アクセス端末は、ＣＳＧに対応するＰＬＭＮを選択し、そのＰＬＭＮ中のＣＳＧセルに登録することができ得る。このようにして、アクセス端末は、（たとえば、何らかの他のトリガに応答して）ある後の時点まで自動ＰＬＭＮ選択モードで動作していないことになるので、アクセス端末は、選択されたＰＬＭＮにとどまる可能性が高くなることがある。
【００１２】
本開示は、いくつかの態様では、ワイヤレスセルセットのカバレージを失ったときに、異なるワイヤレスネットワーク選択モードに切り替わることに関する。たとえば、アクセス端末が、アクセス端末によって手動で選択されたＣＳＧのセルにもはやキャンプされていないと判断すると、アクセス端末は、異なるワイヤレスネットワーク選択モード（たとえば、ＣＳＧにキャンプするより前に使用されていたモード）に切り替わることができ得る。このようにして、アクセス端末は、ＣＳＧのカバレージを出たときに、結局より適切なネットワークを選択することになる可能性が高くなり得る。
【００１３】
本開示は、いくつかの態様では、アクセス端末がワイヤレスセルセットのカバレージを失った後、規定された時間期間内にセルセットのセルに戻る場合、セルセットのセルを自動的に選択することに関する。たとえば、アクセス端末が、アクセス端末によって手動で選択されたＣＳＧのセルにもはやキャンプされていないと判断したときにタイマーを開始することができ得る。アクセス端末が、規定された時間期間内にＣＳＧのセルに戻る場合、アクセス端末によってキャンプするために、そのセルが自動的に（たとえば、ユーザ対話なしに）選択され得る。このようにして、アクセス端末が一時的にＣＳＧのカバレージを失った場合、アクセス端末はＣＳＧへのアクセスをシームレスに復旧することができ得る。
【００１４】
本開示は、いくつかの態様では、ワイヤレスセルセットのカバレージを失ったときに、前のワイヤレスネットワークに戻ることに関する。たとえば、アクセス端末が、アクセス端末によって手動で選択されたＣＳＧのセルにもはやキャンプされていないと判断すると、アクセス端末は、アクセス端末がＣＳＧにキャンプするより前にキャンプしていたＰＬＭＮに自動的に戻ることができ得る。
【００１５】
本開示のこれらおよび他の例示的な態様について、以下の詳細な説明および添付の特許請求の範囲、ならびに添付の図面において説明する。
【図面の簡単な説明】
【００１６】
【図１】セルセット（たとえば、ＣＳＧ）の手動選択に関連してワイヤレスネットワーク選択モードおよびワイヤレスネットワークを切り替えるように適合された通信システムのいくつかの例示的な態様の簡略ブロック図。
【図２】セルセットの手動選択に関連してワイヤレスネットワーク選択モードおよびワイヤレスネットワークを切り替えるために実行でき得る動作のいくつかの例示的な態様のフローチャート。
【図３】異なるワイヤレスネットワーク上のセルセットの手動選択時および／またはセルセットへのキャンプ終了時に、異なるワイヤレスネットワーク選択モードへの切替えに関連して実行でき得る動作のいくつかの例示的な態様のフローチャート。
【図４】異なるワイヤレスネットワーク上のセルセットの手動選択を実行することと、異なるワイヤレスネットワーク選択モードに切り替えることとに関連して使用でき得る例示的な非アクセス層およびアクセス層コールフローを示す簡略図。
【図５】アクセス端末が、規定された時間期間内にセルセットに戻る場合、セルセットを自動的に再選択することに関連して実行でき得る動作のいくつかの例示的な態様のフローチャート。
【図６】セルセットのカバレージを出るときにワイヤレスネットワークに自動的に戻ることに関連して実行でき得る動作のいくつかの例示的な態様のフローチャート。
【図７】通信ノードにおいて採用でき得る構成要素のいくつかの例示的な態様の簡略ブロック図。
【図８】ワイヤレス通信システムの簡略図。
【図９】フェムトノードを含むワイヤレス通信システムの簡略図。
【図１０】ワイヤレス通信のためのカバレージエリアを示す簡略図。
【図１１】通信構成要素のいくつかの例示的な態様の簡略ブロック図。
【図１２】本明細書で教示するワイヤレスネットワーク選択モードおよび／またはワイヤレスネットワークの切替えを行うように構成された装置のいくつかの例示的な態様の簡略ブロック図。
【図１３】本明細書で教示するワイヤレスネットワーク選択モードおよび／またはワイヤレスネットワークの切替えを行うように構成された装置のいくつかの例示的な態様の簡略ブロック図。
【図１４】本明細書で教示するワイヤレスネットワーク選択モードおよび／またはワイヤレスネットワークの切替えを行うように構成された装置のいくつかの例示的な態様の簡略ブロック図。
【図１５】本明細書で教示するワイヤレスネットワーク選択モードおよび／またはワイヤレスネットワークの切替えを行うように構成された装置のいくつかの例示的な態様の簡略ブロック図。
【発明を実施するための形態】
【００１７】
慣例により、図面中に示された様々な特徴は一定の縮尺で描かれていないことがある。したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１８】
本開示の様々な態様について以下で説明する。本明細書の教示は多種多様な形態で実施でき得、本明細書で開示されている特定の構造、機能、またはその両方は代表的なものにすぎないことは明らかであろう。本明細書の教示に基づいて、本明細書で開示される態様は他の態様とは独立に実装でき得ること、およびこれらの態様のうちの２つ以上を様々な方法で組み合わせることができ得ることを、当業者なら諒解されたい。たとえば、本明細書に記載の態様をいくつ使用しても、装置を実現し、または方法を実施することができ得る。さらに、本明細書に記載の態様のうちの１つまたは複数に加えて、あるいはそれら以外の他の構造、機能、または構造および機能を使用して、そのような装置を実現し、またはそのような方法を実施することができ得る。さらに、態様は、請求項の少なくとも１つの要素を備えることができ得る。
【００１９】
図１に、例示的な通信システム１００（たとえば、通信ネットワークの一部）のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であることを諒解されたい。たとえば、様々な実装形態では、アクセスポイントを基地局またはｅノードＢと呼ぶこと、あるいは基地局またはｅノードＢとして実装することができ得、アクセス端末をユーザ機器またはモバイルなどと呼ぶこと、あるいはユーザ機器または移動局などとして実装することができ得る。
【００２０】
システム１００中のアクセスポイントは、１つまたは複数のサービス（たとえば、ネットワーク接続性）を、システム１００のカバレージエリア内に設置され得るか、またはシステム１００のカバレージエリア全体にわたってローミングし得る１つまたは複数のワイヤレス端末に提供する。たとえば、様々な時点で、アクセス端末１０２は、アクセスポイント１０４、アクセスポイント１０６、または何らかの他のアクセスポイント（図示せず）に接続することができ得る。システム１００中の各アクセスポイントは、ワイドエリアネットワーク接続性を可能にするために、（便宜上、ネットワークノード１０８および１１０によって表される）１つまたは複数のネットワークエンティティと通信することができ得る。これらのネットワークエンティティは、たとえば、１つまたは複数の無線および／またはコアネットワークエンティティなどの様々な形態をとることができ得る。したがって、様々な実装形態では、ネットワークノード１０８および１１０は、モビリティ管理、（たとえば、運用、管理（administration）、管理、およびプロビジョニングエンティティ（provisioning entity）を介した）ネットワーク管理、コール制御、セッション管理、ゲートウェイ機能、インターワーキング機能のうちの少なくとも１つなどの機能、または何らかの他の好適なネットワーク機能を表すことができ得る。
【００２１】
アクセス端末１０２は、アクセス端末のユーザがワイヤレスセルセットを手動で選択することを可能にする（手動セルセットセレクタ１１２によって表される）機能を含む。一般に、ワイヤレスセルセットは、そのセットに固有の定義された関係がある、１つまたは複数のセル（たとえば、少なくとも１つのアクセスポイント）のセットを備える。ワイヤレスセルセットの一例は、（以下でより詳細に説明する）ＣＳＧである。便宜のために、以下の説明では、ワイヤレスセルセットというより一般的な用語ではなく、単にＣＳＧという用語に言及することがある。ただし、説明する概念が、ワイヤレスセルまたは他の同様のエンティティの他のタイプの定義されたセットまたはグループに適用可能であり得ることを諒解されたい。
【００２２】
ワイヤレスネットワーク（たとえば、ＰＬＭＮ）選択を可能にするために、アクセス端末１０２は、異なるネットワーク中のＣＳＧの手動選択に応答して異なるワイヤレスネットワーク選択モードに切り替わることができ得るワイヤレスネットワーク選択モードスイッチ１１４を含む。ここで、異なるワイヤレスネットワーク選択モードを様々な方法で定義することができ得る。いくつかの実装形態では、自動ワイヤレスネットワーク選択モードと手動ワイヤレスネットワーク選択モードとを定義することができ得る。いくつかの実装形態では、あるモードを、アクセス端末がマクロセルにキャンプしているときに使用するように定義することができ得、別のモードを、アクセス端末がＣＳＧセルにキャンプしているときに使用するように定義することができ得る。他の実装形態では、他のタイプのモードを使用することができ得る。図１の例では、アクセスポイント１０４は、アクセス端末１０２のホームワイヤレスネットワーク（たとえば、ホームＰＬＭＮ）のセルを備えることができ得、アクセスポイント１０６は、訪問先（visited）ワイヤレスネットワーク（たとえば、訪問先ＰＬＭＮ）のＣＳＧセルを備えることができ得る。アクセス端末１０２がＣＳＧの手動選択より前に自動ワイヤレスネットワーク選択モードにあった場合、スイッチ１１４は、非自動（たとえば、手動）ワイヤレスネットワーク選択モードに自動的に切り替わることができ得る。このようにして、他のより高い優先順位のワイヤレスネットワークがアクセス端末１０２にサービスすることが可能である場合でも、アクセス端末１０２は、選択されたＣＳＧにキャンプされたままでいることができ得る。
【００２３】
アクセス端末１０２はまた、ネットワーク選択プロシージャの状態情報を記憶するためのデータレコード１１６（すなわち、データメモリ）を含む。たとえば、アクセス端末が、選択されたＣＳＧのワイヤレスカバレージを失った（たとえば、出た）場合、スイッチ１１４が前のワイヤレスネットワーク選択モードに自動的に切り替え復帰することができ得るように、前に使用されていたワイヤレスネットワーク選択モード（前の選択モード１１８）の記録を維持することができ得る。同様に、アクセス端末が、選択されたＣＳＧのワイヤレスカバレージを失った（たとえば、出た）場合、アクセス端末１０２が前のワイヤレスネットワークに自動的に切り替え復帰することができ得るように、前に使用されていたワイヤレスネットワーク（前のワイヤレスネットワーク１２０）の記録を維持することができ得る。
【００２４】
次に、システム１００の例示的な動作について、図２のフローチャートに関連してより詳細に説明する。便宜上、図２の動作（または、本明細書で論じたかまたは教示した任意の他の動作）については、特定の構成要素によって実行されるものとして説明することがある。ただし、これらの動作は、他のタイプの構成要素によって実行でき得、異なる個数の構成要素を使用して実行でき得ることを諒解されたい。また、本明細書で説明する動作の１つまたは複数は、所与の実装形態では採用されない場合があることを諒解されたい。
【００２５】
ブロック２０２で表されるように、いくつかの実装形態では、１つまたは複数のセルセット（たとえば、ＣＳＧ）を、アクセス端末のための選択に好適であるとして指定する。たとえば、あるＣＳＧが利用可能である場合、ユーザは、そのＣＳＧにアクセスすることを選好することができ得る。したがって、アクセス端末がこの好適なＣＳＧのカバレージに入った場合、そのＣＳＧを選択することを可能にするために、そのＣＳＧの記録をアクセス端末上に維持することができ得る。
【００２６】
ブロック２０４で表されるように、様々な時点で、アクセス端末は、アイドルモード動作中に第１のワイヤレスネットワーク選択モード（たとえば、自動モードまたはマクロセル固有モード）を利用する。たとえば、アクセス端末は、アクセス端末が（たとえば、ＰＬＭＮを探索するバックグラウンドプロシージャの動作によって）最良の利用可能なワイヤレスネットワークを自動的に繰り返し選択する、自動ワイヤレスネットワーク選択モードで動作することができ得る。そのような選択プロシージャは、１つまたは複数の好適なワイヤレスネットワークを指定するリスト（たとえば、ＰＬＭＮを優先順位の順にランク付けする優先リスト）を採用することができ得る。したがって、アクセス端末が、より高い優先順位のワイヤレスネットワークを検出したときはいつでも、アクセス端末はそのネットワークを自動的に選択することができ得る。典型的な場合、ユーザのホームワイヤレスネットワークには、（たとえば、好適なワイヤレスネットワークであるとして指示される）最高優先順位を割り当てることができ得、ユーザがアクセスすることを許可される他のワイヤレスネットワークは、より低い優先順位を有することができ得る。
【００２７】
アクセス端末は、現在のワイヤレスネットワーク選択モードの記録を維持することができ得る。上述のように、この記録は、ある後の時点でこのモードに効率的に切り替え復帰することを可能にするために使用でき得る。
【００２８】
ブロック２０６で表されるように、ある時点で、アクセス端末のユーザは、異なるワイヤレスネットワーク上にあるＣＳＧを手動で選択する。たとえば、ユーザは、アクセス端末のユーザ入力デバイスを使用して、手動ＣＳＧ選択モードをアクティブにすることができ得る。ユーザは、たとえば、あるＣＳＧによって一意に提供されるサービスを取得するために、そのＣＳＧを手動で選択することを望むことがある。たとえば、顧客に無料のカバレージを提供するか、または有料のカバレージを提供するために、サードパーティ（たとえば、小売業者）がＣＳＧを展開することができ得る。
【００２９】
このモードがアクティブになると、アクセス端末は、少なくとも１つのＣＳＧを広告している利用可能なセルをスキャンする。たとえば、アクセス端末は、近くのアクセスポイントからの信号を監視し、これらのアクセスポイントのいずれかが、アクセスポイントが１つまたは複数のＣＳＧに関連することを示す信号をブロードキャストしているかどうかを判断することができ得る。
【００３０】
１つまたは複数のＣＳＧに関連する１つまたは複数のセルを識別すると、アクセス端末は、対応するリストをアクセス端末のディスプレイデバイス上に表示する。いくつかの態様では、このリストは、少なくとも１つのＣＳＧを広告している利用可能なセルに対応する少なくとも１つの識別子を備えることができ得る。たとえば、検出されたＣＳＧごとに、リストは、ＣＳＧの識別子、ＣＳＧを広告しているセルの識別子、またはＣＳＧを広告しているセルのワイヤレスネットワーク（たとえば、ＰＬＭＮ）の識別子のうちの１つまたは複数を備えることができ得る。複数のセルが同じＣＳＧを広告している場合、アクセス端末は、これらのセルのすべてまたはこれらのセルのいくつか（たとえば、アクセス端末における最も高い受信信号強度に関連するセル）を掲示することができ得る。
【００３１】
次いで、ユーザは、ユーザ入力デバイスを使用して、リストからアイテムのうちの１つ（たとえば、ＣＳＧのうちの１つ）を選択する。それに応じて、アクセス端末は、ユーザ入力デバイスからの指示に基づいて、利用可能なセルのうちの１つを選択する。たとえば、ユーザによって選択されたＣＳＧを広告しているただ１つのセルがある場合、アクセス端末は、そのセルを選択する（たとえば、アクセス端末によってキャンプするためのセルを選択する）ことになる。ユーザによって選択されたＣＳＧを広告している複数のセルがある場合、アクセス端末は、最も高い受信信号強度、アクセス端末のための最も高いサービス品質、または何らかの他の所望の属性を提供するセルのそのセットからセルを選択することができ得る。上記のように、場合によっては、ＣＳＧを、選択のために好適であるとして指定することができ得る。そのような場合、セルの選択はこの指定に基づき得る。
【００３２】
ブロック２０８で表されるように、異なるワイヤレスネットワーク上のＣＳＧの手動選択の結果として、アクセス端末は、異なるワイヤレスネットワーク選択モード（たとえば、手動モードまたはＣＳＧセル固有モード）に切り替わる。たとえば、アクセス端末は、非自動（たとえば、手動）ワイヤレスネットワーク選択モードに切り替わることができ得る。このようにして、アクセス端末が自動ワイヤレスネットワーク選択モードにとどまった場合に起こり得るように、（ＣＳＧの手動選択から生じる）ＣＳＧセルのワイヤレスネットワーク選択がその後オーバーライドされることにならない。
【００３３】
ブロック２１０で表されるように、ブロック２０６におけるセルの選択に関連して、アクセス端末は、選択されたセルにキャンプする。いくつかの態様では、セルにキャンプすることは、セルからページを受信すること、セルとの通信を確立すること、またはセルからのブロードキャスト送信を復号することのうちの１つまたは複数を備えることができ得る。
【００３４】
ブロック２１２で表されるように、ある時点で、アクセス端末は、（たとえば、アクセス端末がＣＳＧのいずれのセルにももはやキャンプしていないと判断することによって）アクセス端末がＣＳＧからもはやサービスを受けていないと判断する。ここで、たとえば、アクセス端末がＣＳＧを広告している（１つまたは複数の）セルのサービスエリアから出たこと、アクセス端末がサービスの損失を引き起こす干渉を受けたこと、または何らかの他の理由のためにアクセス端末がサービスを失ったことにより、サービスが失われることがある。
【００３５】
ブロック２１４で表されるように、アクセス端末がＣＳＧからもはやサービスを受けていないと判断すると、アクセス端末は、そのワイヤレスネットワーク選択モードを自動的に（たとえば、ユーザによるアクションを必要とすることなしに）切り替える。たとえば、アクセス端末は、ブロック２０４において維持された記録によって指定された動作モード（たとえば、自動ＰＬＭＮ選択モード）に切り替え復帰することができ得る。上記のように、これは、ＣＳＧの手動選択の直前に使用中だった動作モードに対応し得る。
【００３６】
このようにして前のワイヤレスネットワーク選択モードに自動的に切り替わることによって、アクセス端末は、たとえば、サービスが利用不可能であるワイヤレスネットワーク（たとえば、訪問先ＰＬＭＮ）にとどまることを回避するか、またはカバレージの損失を防ぐためにユーザ介入（user intervention）を必要とすることを回避することができ得る。たとえば、場合によっては、ワイヤレスネットワークは、アクセス端末がＣＳＧのセルにはアクセスできるが、そのワイヤレスネットワーク上の他のセルにはアクセスできないようにすることができ得る。これらの場合、ＣＳＧのカバレージを出たときに、アクセス端末が手動ワイヤレスネットワーク選択モードにとどまった（たとえば、アクセス端末が、選択されたワイヤレスネットワーク上にとどまった）場合、アクセス端末はカバレージ外に出ることがある。この問題は、ユーザに別のワイヤレスネットワークを選択するように自動的に要求することによって対処できるが、本明細書の教示は、有利には、ユーザ介入を必要とすることなしにカバレージを維持するために採用でき得る。
【００３７】
ブロック２１６で表されるように、アクセス端末が、規定された時間期間内にＣＳＧのワイヤレスカバレージに戻る場合、アクセス端末は、そのＣＳＧのセルを自動的に選択するように構成でき得る。たとえば、ブロック２１２の判断の後、アクセス端末が、規定された時間期間内に、ＣＳＧを広告しているセルのワイヤレスカバレージに入る場合、アクセス端末は、自動的にそのセルを選択し、そのセルへのキャンピング（camping）を開始することができ得る。したがって、アクセス端末が一時的にＣＳＧサービスを失った場合、ユーザ介入を必要とすることなしにサービスを再び取得することができ得る。
【００３８】
次に、上記のプロシージャの例示的な実装形態について、図３〜図７を参照しながら説明する。図３および図４は、ワイヤレスネットワーク選択または選択モードの切替えに関連して実行でき得る例示的な動作について説明する。図５は、規定された時間期間内にＣＳＧに戻ることに関連して実行でき得る例示的な動作について説明する。図６は、前のワイヤレスネットワークに戻ることに関連して実行でき得る例示的な動作について説明する。図７は、本明細書で教示する動作を実行するために使用でき得る例示的な機能構成要素について説明する。
【００３９】
図３のブロック３０２で表されるように、アクセス端末は、現在のワイヤレスネットワーク選択モードの記録を維持する。したがって、通常動作中に、アクセス端末がその選択モードを切り替えたときはいつでも、記録が更新される。上述のように、アクセス端末は、通常、自動ワイヤレスネットワーク選択モード（またはマクロセル固有モード）で動作することができ得る。
【００４０】
ブロック３０４で表されるように、ある時点で、アクセス端末は、ＣＳＧを広告しているセルを選択する。これらの動作は、たとえば、ブロック２０６において上記で説明した動作に対応し得る。
【００４１】
ブロック３０６で表されるように、アクセス端末は、選択されたセルに関連するワイヤレスネットワークを識別する。たとえば、アクセス端末は、選択されたセルがどのＰＬＭＮ上にあるかを判断することができ得る。場合によっては、識別されたネットワークを、アクセス端末の観点から訪問先ネットワークであると見なすことができ得る。たとえば、選択されたセルは、現在登録されているワイヤレスネットワーク（すなわち、アクセス端末が現在登録されているワイヤレスネットワーク）とは異なるワイヤレスネットワーク上にあり得る。また、アクセス端末が現在いずれのワイヤレスネットワークにも登録されていない場合、選択されたセルは、現在好適であるワイヤレスネットワーク（たとえば、ユーザのホームワイヤレスネットワーク）とは異なるワイヤレスネットワーク上にあり得る。
【００４２】
ブロック３０８で表されるように、アクセス端末は、ブロック３０６におけるワイヤレスネットワークの識別の結果として、現在のワイヤレスネットワーク選択モードとは異なるワイヤレスネットワーク選択モードに切り替わる。上記で説明したように、ユーザが、異なるワイヤレスネットワーク上のＣＳＧを選択した場合、アクセス端末は、非自動ワイヤレスネットワーク選択モード（またはＣＳＧセル固有モード）に切り替わることができ得る。たとえば、識別されたワイヤレスネットワーク（たとえば、訪問先ネットワーク）が現在登録されているワイヤレスネットワーク（たとえば、ホームネットワーク）または現在好適であるワイヤレスネットワーク（たとえば、ホームネットワーク）とは異なる場合、アクセス端末は手動選択モードに切り替わることができ得る。この場合、選択モードを切り替えたとき、アクセス端末は、新しい選択モードを（ブロック３０２において説明した）「現在」選択モードとして記録しない。そうではなく、以下で説明するように、アクセス端末が、ブロック３０４におけるＣＳＧの選択より前に使用されていたモードを後で判断することができ得るように、「現在」選択モードの記録はそのままにされる。代替として、アクセス端末は、新しい選択モードを「現在」選択モードとして記録し、前の現在選択モードを「最終」選択モードとして記録することができ得る。
【００４３】
アクセス端末が、選択されたセルとの通信を正常に確立すると、アクセス端末は、ページ、データ、およびブロードキャスト情報を受信するために、選択されたセルを介して識別されたネットワークに登録し（ブロック３１０）、セルにキャンプすることができ得る。さらに、複数のセルがＣＳＧを広告している場合、アクセス端末は、（たとえば、ＣＳＧサービスを提供している小売業者の異なるフロアに移動したときに）ＣＳＧの異なるセルに切り替わることができ得る。しかしながら、ある時点で、アクセス端末は、ＣＳＧのいずれのセルをも選択することができないことがある（たとえば、ユーザが、ＣＳＧサービスを提供していたストアを出た可能性がある）。したがって、ブロック３１２で表されるように、アクセス端末は、アクセス端末がＣＳＧのセルにもはやキャンプしていない（たとえば、アクセス端末が、ＣＳＧを広告しているセルのいずれにもキャンプしていない）と判断する。
【００４４】
ブロック３１４で表されるように、アクセス端末は、ブロック３１２の判断の結果として、異なるワイヤレスネットワーク選択モードに切り替わる。上述のように、切替えは、アクセス端末がＣＳＧのいずれのセルをも選択することができないという判断に基づくことができ得る。さらに、場合によっては、切替えは、アクセス端末が、識別されたワイヤレスネットワークの他のどのセルをも選択することができない（たとえば、ワイヤレスネットワークは、アクセス端末がＣＳＧのセルにアクセスすることのみを可能にする）という判断に基づくことができ得る。
【００４５】
上述のように、ＣＳＧを出たとき、アクセス端末は、手動ワイヤレスネットワーク選択モードから、ブロック３０２において維持された記録によって指定された前のモード（たとえば、自動モード）に切り替わることができ得る。自動モードに戻ったとき、アクセス端末は、ＣＳＧの手動選択より前にアクセス端末があったワイヤレスネットワーク（たとえば、ホームワイヤレスネットワーク）を再選択する可能性がある。
【００４６】
図３の動作は様々な方法で実装でき得る。図４に、ＰＬＭＮ選択モード切替えを達成するために採用でき得る例示的な非アクセス層（ＮＡＳ）プロシージャとアクセス層（ＡＳ）プロシージャとを示す。
【００４７】
ステップ１において、ユーザは、すべてのＰＬＭＮ上の利用可能なＣＳＧセルのリストを要求するようにアクセス端末中のＮＡＳをトリガする、ＣＳＧ手動選択を要求する。ここで、手動選択は、アクセス端末の許可されたＣＳＧリスト（たとえば、ホワイトリスト）および任意の事業者ＣＳＧリストの内と外の両方のＣＳＧセルに適用することができ得る。
【００４８】
ステップ２において、ＮＡＳ要求に応答して、ＡＳは、その機能に従ってすべての無線周波（ＲＦ）チャネルをスキャンし、ユーザがすべてのＰＬＭＮ中から選択するための、利用可能なＣＳＧセルのリストを戻す。たとえば、アクセス端末は、利用可能なＣＳＧ識別子（ＩＤ）を発見するために、ＵＴＲＡおよび／またはＥ−ＵＴＲＡ帯域をその機能に従ってスキャンすることができ得る。
【００４９】
各キャリア上で、ＡＳは、（少なくとも）最強のセルを探索し、そのシステム情報を読み取り、登録ＰＬＭＮに属する利用可能な（１つまたは複数の）ＣＳＧ  ＩＤを、ユーザが選択するために、利用可能な場合、それらのホームノードＢ（ＨＮＢ）名とともに、ＮＡＳに報告することができ得る。利用可能なＣＳＧ  ＩＤの探索は、ＮＡＳの要求時に停止でき得る。
【００５０】
ステップ３において、アクセス端末は、利用可能なすべてのＣＳＧと関連するＰＬＭＮとをユーザに対して表示する。利用可能な場合、アクセス端末はまた、テキストベースのＨＮＢ名を示すことができ得る。利用可能なＣＳＧ  ＩＤは、たとえば、１）許可されたＣＳＧリスト中に含まれるＣＳＧ  ＩＤ、２）事業者ＣＳＧリスト中に含まれるＣＳＧ  ＩＤ、３）許可されたＣＳＧリスト中にも事業者ＣＳＧリスト中にも含まれない任意の他のＣＳＧ  ＩＤの順に表示でき得る。
【００５１】
同じＣＳＧ  ＩＤをもつ複数のセルが同じＰＬＭＮ上にあるとき、いくつかの実装形態では、そのＣＳＧ  ＩＤの最強のセルのＨＮＢ名のみが表示される。アクセス端末は、ＣＳＧセルの信号強度、およびＣＳＧセルが現在のＰＬＭＮに属するかどうかなど、他の情報を表示することもでき得る。たとえば、アクセス端末は、アクセス端末がＣＳＧセルの存在を検出したことを示すために信号強度バーを使用することができ得る。しかしながら、アクセス端末は、不適当なＲＦ状態により、そのセルを選択しないことを決定することができ得る。アクセス端末は、一般に、選択のために利用可能なＣＳＧセルがないＰＬＭＮを表示しない。
【００５２】
ステップ４において、ＮＡＳは、手動で選択された（ＰＬＭＮ、ＣＳＧ）ペアにキャンプするようにＡＳに要求する。
【００５３】
ステップ５において、ＡＳは、選択されたＣＳＧ  ＩＤに属する許容できるセルまたは好適なセルを探索することによって、そのＣＳＧのそのＰＬＭＮ中の最良のセルキャンプするために必要とされる再選択プロシージャを実行する。
【００５４】
ステップ６において、ＡＳは、ＣＳＧ  ＩＤ、追跡エリアコード、位置登録エリアコード、およびルーティングエリアコードなどのＣＳＧセルの詳細を含む、ＣＳＧセルへのキャンプが成功したという指示を戻す。
【００５５】
ステップ７において、ユーザが、現在キャンプされている同じＰＬＭＮ内のＣＳＧセルを選択し、そのＣＳＧセルがアクセス端末の許可されたＣＳＧリスト中にないＣＳＧ  ＩＤを有する場合、アクセス端末は、位置登録プロシージャ（たとえば、位置登録エリア更新、ルーティングエリア更新、追跡エリア更新）を実行する。位置登録プロシージャが成功した場合、アクセス端末は、許可されたＣＳＧリストにＣＳＧを追加することができ得る。
【００５６】
ユーザが、登録ＰＬＭＮ（ＲＰＬＭＮ）とは異なるＰＬＭＮ中のＣＳＧセルを選択した場合、以下のことが適用する。すなわち、１）アクセス端末が、ＲＰＬＭＮの重複（duplicate）と現在のＰＬＭＮ選択モードの重複とを記憶する、２）アクセス端末が、手動ＰＬＭＮ選択モードに入る、３）アクセス端末が、ＣＳＧに対応するＰＬＭＮを選択し、ＰＬＭＮ中の選択されたＣＳＧセルに登録することを試みる、４）登録に失敗した場合、アクセス端末が、記憶された重複ＰＬＭＮ選択モードに戻り、ＲＰＬＭＮの記憶された重複値を使用して、ＰＬＭＮに登録することを含む、適切なＰＬＭＮ上のセルを再選択するプロシージャを開始する。
【００５７】
登録の試みが受け付けられた場合、セルがハイブリッドセルでないか、または識別情報がリスト中にすでに存在しなければ、アクセス端末は、ＣＳＧ識別情報を許可されたＣＳＧリストに追加することができ得る。
【００５８】
ステップ８において、アクセス端末がＣＳＧのカバレージを失うか、または、他のＲＦ状態が、アクセス端末に、選択されたＣＳＧに属する（１つまたは複数の）セルのカバレージから出るようにさせる。
【００５９】
ステップ９において、ＡＳは、同じＣＳＧ  ＩＤをもつＣＳＧセルが再選択のためにもはや利用可能でないことをＮＡＳに通知する。
【００６０】
ステップ１０において、ユーザがＲＰＬＭＮとは異なるＰＬＭＮ中のＣＳＧセルを選択し、アクセス端末がもはやＣＳＧのカバレージ中にない場合、アクセス端末は、記憶された重複ＰＬＭＮ選択モードに戻り、ＲＰＬＭＮの記憶された重複値を使用して、ＰＬＭＮに登録することを含む、適切なＰＬＭＮ上のセルを再選択するプロシージャを開始する。
【００６１】
次に図５を参照すると、いくつかの実装形態では、アクセス端末は、アクセス端末が、規定された時間期間内にＣＳＧに戻る場合、ＣＳＧを自動的に再選択するように構成でき得る。ブロック５０２および５０４で表されるように、アクセス端末は、キャンプするためのＣＳＧのセルを選択し、ワイヤレスネットワーク選択モードを（たとえば、手動モードに）切り替え、セルにキャンプし、ある後の時点でセルへのキャンピングを終了する。したがって、ブロック５０２および５０４の動作は、たとえば、ブロック２０２〜２１２および／またはブロック３０２〜３１２において上記で説明した動作に対応し得る。
【００６２】
ブロック５０６で表されるように、アクセス端末は、アクセス端末がＣＳＧのセルにもはやキャンプされていないという判断の結果として、別のワイヤレスネットワーク選択モードに（たとえば、自動モードまたはマクロセル固有モードに）切り替わる。したがって、これらの動作は、たとえば、ブロック２１４および／または３１４において上記で説明した動作に対応し得る。
【００６３】
ブロック５０８で表されるように、アクセス端末は、ＣＳＧを出たときに、他のサービスを取得するかまたは取得しない。場合によっては、ＣＳＧの任意のセルへのキャンピング終了時およびワイヤレスネットワーク選択モードを切り替えたとき、アクセス端末は、ブロック５０２において選択されたセルのワイヤレスネットワークとは異なるワイヤレスネットワーク（たとえば、ホームワイヤレスネットワーク）を検出し、選択することになる。
【００６４】
ブロック５１０で表されるように、アクセス端末は、アクセス端末がカバレージを出た後、規定された時間期間内にＣＳＧのカバレージに戻ったかどうかを追跡する。たとえば、アクセス端末がＣＳＧの任意のセルへのキャンピングを終了したと判断すると、タイマーを開始することができ得る。次いで、アクセス端末は、タイマーが満了する前に（すなわち、規定された時間期間内に）アクセス端末がＣＳＧのセルのワイヤレスカバレージに戻るかどうかを判断するために監視を開始する。
【００６５】
ブロック５１２で表されるように、アクセス端末が、規定された時間期間内にＣＳＧのセルのワイヤレスカバレージに戻ったと判断した場合、アクセス端末は、通信を確立するためにＣＳＧのそのセルを選択する。いくつかの態様では、通信を確立するためのセルの選択は、（たとえば、セルからページ、データ、またはブロードキャスト情報のうちの１つまたは複数を受信するために）たとえば、セルにアクセスすることおよび／またはセルにキャンプすることを備えることができ得る。
【００６６】
セルのこの選択に関連して、アクセス端末はまた、セルのワイヤレスネットワークを再選択し、異なるワイヤレスネットワーク選択モードに切り替わる（たとえば、手動モードまたはＣＳＧセル固有モードに戻る）ことができ得る。有利には、セルおよびワイヤレスネットワークの選択ならびにモード切替えは、ユーザの介入なしに（たとえば、手動選択を実行するようにユーザに要求することなしに）、自動的に実行でき得る。
【００６７】
次に図６を参照すると、いくつかの実装形態では、アクセス端末は、前のワイヤレスネットワークに自動的に戻るように構成でき得る。ブロック６０２で表されるように、ある時点で、アクセス端末は、特定のワイヤレスネットワークが選択されることを可能にするワイヤレスネットワーク選択モードで動作する。たとえば、アクセス端末は、手動ワイヤレスネットワーク選択モードをサポートすることができ得、それによって、ユーザは、アクセス端末によって検出された（たとえば、ディスプレイ画面に表示されたリストを介してユーザに提示された）ワイヤレスネットワークのセットからワイヤレスネットワークを選択することができ得る。
【００６８】
ブロック６０４で表されるように、アクセス端末は、現在選択されているワイヤレスネットワークの記録を維持する。このワイヤレスネットワークは、たとえば、ホームワイヤレスネットワーク、訪問先ワイヤレスネットワーク、または何らかの他のタイプのワイヤレスネットワークを備えることができ得る。
【００６９】
ブロック６０６および６０８で表されるように、ある時点で、アクセス端末は、ＣＳＧを広告しているセルを選択し、選択されたセルに関連するワイヤレスネットワーク（たとえば、訪問先ワイヤレスネットワーク）を識別する。したがって、ブロック６０６および６０８の動作は、たとえば、ブロック３０４〜３０８において上記で説明した動作に対応し得る。
【００７０】
ブロック６１０で表されるように、場合によっては、アクセス端末は、識別されたワイヤレスネットワークに登録する。たとえば、識別されたワイヤレスネットワークがブロック６０４において説明されるワイヤレスネットワーク（「現在」ワイヤレスネットワーク）とは異なる場合、識別されたワイヤレスネットワークが現在好適であるワイヤレスネットワークとは異なる場合、または、アクセス端末がいずれのネットワークにも登録されていない場合、登録を実行することができ得る。
【００７１】
ブロック６１２で表されるように、ある時点で、アクセス端末はＣＳＧのカバレージを出る。たとえば、ブロック２１２および／または３１２において上記で説明したように、アクセス端末がＣＳＧのいずれのセルにももはやキャンプしていないと判断することができ得る。
【００７２】
ブロック６１４で表されるように、次いで、アクセス端末は、ブロック６０４において上記で説明したように、維持された記録によって識別されるワイヤレスネットワークに戻る。たとえば、（たとえば、本明細書で説明するように選択モードの維持された記録を参照することによって）ブロック６０６においてセルを選択する直前に手動ワイヤレスネットワーク選択モードが採用されていたと判断すると、アクセス端末は、そのモードにあった間にユーザによって手動で選択されたワイヤレスネットワーク（たとえば、ホームワイヤレスネットワーク）を選択することができ得る。有利には、ユーザの介入なしに（たとえば、別の手動選択を実行するようにユーザに要求することなしに）、ワイヤレスネットワークの選択を自動的に実行することができ得る。
【００７３】
図６の動作に関連して、図５において上記で説明したカバレージリエントリ動作を採用することもでき得る。たとえば、アクセス端末が、ブロック６１２においてカバレージを出た後、規定された時間期間内にＣＳＧのカバレージに戻る場合、アクセス端末は、上記で説明したようにＣＳＧのセルを自動的に選択することができ得る。
【００７４】
図７に、本明細書で教示するモード切替えとネットワーク選択とを実行するために、（たとえば、アクセス端末１０２に対応する）アクセス端末７００などのノードに組み込むことができ得るいくつかの例示的な構成要素を示す。記載の構成要素は、通信システム中の他のノードに組み込むこともでき得る。たとえば、システム中の他のノードには、同様の機能を提供する、アクセス端末７００に関して記載する構成要素と同様の構成要素があり得る。所与のノードは、記載の構成要素のうちの１つまたは複数を含むことができ得る。たとえば、アクセス端末は、アクセス端末が複数の周波数上で動作し、および／または様々な技術によって通信できるようにする、複数のトランシーバ構成要素を含むことができ得る。
【００７５】
図７に示すように、アクセス端末７００は、他のノードと通信するためのトランシーバ７０２を含む。トランシーバ７０２は、信号を（たとえば、アクセスポイントに）送信するための送信機７０４と、信号を受信する（たとえば、アクセスポイントからの信号をスキャンする）ための受信機７０６とを含む。
【００７６】
アクセス端末７００はまた、本明細書で教示するモード切替えおよびネットワーク選択動作に関連して使用され得る他の構成要素を含む。たとえば、アクセス端末７００は、他のノードとの通信を管理するため、および本明細書で教示する他の関連する機能を提供するために、通信コントローラ７０８を含むことができ得る。いくつかの態様では、セルを選択するため（たとえば、ＣＳＧ識別子、ワイヤレスネットワーク識別子などを含むメッセージを受信する）、ＣＳＧのセルに関連するワイヤレスネットワークを識別するため、ネットワークに登録するため、アクセス端末がＣＳＧのセルにキャンプしているかどうかを判断するため、アクセス端末が（たとえば、規定された時間期間内に）ＣＳＧのセルのワイヤレスカバレージに戻ったかどうかを判断するためのメッセージを送信し、受信したメッセージを処理するために、通信コントローラを使用することができ得る。
【００７７】
さらに、アクセス端末７００は、モード切替えおよびネットワーク選択動作を実行するため、および本明細書で教示する他の関連する機能を提供するための（たとえば、モードスイッチ１１４に対応する）ネットワークセレクタ７１０を含むことができ得る。たとえば、ネットワークセレクタ７１０は、ワイヤレスネットワークの識別に基づいて、および／またはアクセス端末がＣＳＧのセルにもはやキャンプされていないという判断に基づいてモードを切り替え、現在のワイヤレスネットワーク選択モードの記録を維持し、記録によって識別されるモードに戻り、アクセス端末がＣＳＧのセルにもはやキャンプされていないという判断に基づいてワイヤレスネットワークを選択し、限定ＣＳＧが選択のために好適であることを指定し、アクセス端末がＣＳＧのセルのワイヤレスカバレージを出た場合、維持された記録によって識別されるワイヤレスネットワークに戻ることができ得る。
【００７８】
アクセス端末７００はまた、セルを選択するため、および本明細書で教示する他の関連する機能を提供するために、（たとえば、セレクタ１１２に対応する）セルセレクタ７１２を含むことができ得る。たとえば、アクセス端末がＣＳＧの任意のセルへのキャンピングを終了した後、アクセス端末が、規定された時間期間内にセルのワイヤレスカバレージに入った場合、セルセレクタは、ＣＳＧを広告しているセルを選択し、ＣＳＧのセルを選択することができ得る。
【００７９】
アクセス端末７００はまた、ユーザとインターフェースするための入力および出力デバイスを含むことができ得る。たとえば、アクセスポイントは、ディスプレイデバイス７１４とユーザ入力デバイス７１６とを含むことができ得る。
【００８０】
本明細書の教示は、様々な実装形態において様々な方法で実現でき得る。２つの例示的な実装形態について、アクセス端末に現在サービスしているＰＬＭＮとは異なるＰＬＭＮ上にあるＣＳＧの手動選択の文脈で、以下で説明する。
【００８１】
第１の実装形態では、上記の非自動ワイヤレスネットワーク選択モードはＣＳＧトリガ動作モードと呼ばれる。いくつかの態様では、ＣＳＧトリガ動作モードは、（たとえば、前の選択モードおよび／またはワイヤレスネットワークを示す）状態情報が所望のワイヤレスネットワーク選択ビヘイビア（behavior）を可能にするために維持される手動動作モードを備えることができ得る。たとえば、ユーザが、異なるＰＬＭＮ上のＣＳＧを手動で選択し、アクセス端末がこのＰＬＭＮを選択すると、アクセス端末は、ＣＳＧトリガモード（たとえば、手動ＰＬＭＮ選択モードの一形態）にあると見なすことができ得る。
【００８２】
このモードでは、状態が別のビヘイビアをトリガするまで、アクセス端末は新しいＰＬＭＮにキャンプされたままでいる。たとえば、アクセス層（ＡＳ）が新しいＰＬＭＮ上のカバレージを失ったとき、通常通り選択をトリガすることができ得る。ただし、このトリガ時に、非アクセス層（ＮＡＳ）は、前のＰＬＭＮ選択モードが自動であったかのように振る舞う。たいていの場合、アクセス端末は元のサービングＰＬＭＮに戻るが、いずれにしても、アクセス端末は、ユーザ介入なしに新しいＰＬＭＮを選択することができ得る。
【００８３】
場合によっては、手動ＣＳＧ選択により、選択されたＣＳＧセルにキャンプしたいという要求の結果として、特定のＡＳビヘイビアがトリガされ得る。たとえば、これは、要求されたセルヘの優先的キャンプをトリガすることができ得る。
【００８４】
ＡＳは、本明細書で教示する選択動作に関連して、状態情報を維持することができ得る。たとえば、アクセス端末は、アクセス端末が特定のサービングＣＳＧのためにＰＬＭＮ選択をトリガしたことを示す記録を維持することができ得る。
【００８５】
今説明した例では、ＰＬＭＮ選択のためのトリガは、ＣＳＧトリガプロシージャにおいて選択されたＰＬＭＮからのカバレージの損失であった。しかしながら、（たとえば、ＣＳＧ環境に固有の様々なイベントに応答してＰＬＭＮ選択のトリガを誘発または抑止するために）ＡＳにおいて他のトリガを採用することができる。
【００８６】
一例として、ＡＳは、ターゲットＣＳＧセルが特殊であると見なすことができ、次のセル再選択においてＰＬＭＮ選択をトリガすることができる。この動作フローは、カバレージの損失ではなくセル再選択がトリガとして使用されることを除いて、上記で説明したものと同じであり得る。
【００８７】
構内ＣＳＧ展開において有用であり得る、この修正のより高度なバージョンは、ＡＳが、同じＣＳＧに関連しないセルの再選択時のみ、ＰＬＭＮ選択をトリガすることである。すなわち、ＡＳは、再選択イベントをフィルタ処理し、ＡＳがユーザの選択したＣＳＧを出ることを強制されている場合のみ、（自動）ＰＬＭＮ選択をトリガする。
【００８８】
ユーザが、短い期間の間、繰り返しターゲットセル（またはＣＳＧ）を出て、次いで戻る場合、これらの修正はユーザエクスペリエンス問題を生じることがある。これは、無線状態か、またはユーザアクティビティ（たとえば、ＣＳＧサービスを提供するストアから、外に駐車した自動車に戻ること）のいずれかによって起こる可能性がある。そのような状況では、上記の動作を繰り返し行うことができ得、すなわち、ユーザが、通常のマクロセルカバレージに「ダンピング」され得、ＣＳＧセルのカバレージに戻った後、手動ＣＳＧ選択を繰り返すことを強制され得ることを意味する。実際問題として、このシナリオは、ユーザにとって押しつけがましいことがある。その上、ＰＬＭＮ間の対話に応じて、このシナリオは、サービスを妨害するか、繰り返しビリングを生じるか、または他の問題を提示することがある。したがって、上記で説明したように、ＰＬＭＮ選択状態がＣＳＧトリガに設定されているとき、監視タイマーを維持し、タイマーが満了するまで（たとえば、新しいＰＬＭＮからのカバレージの損失、セル再選択など、何であれ、ＰＬＭＮ選択を要求するようにＡＳをトリガするものから生じる）ＣＳＧからの物理的逸脱がＰＬＭＮ選択を引き起こさないようにすることは、ＮＡＳまたはＡＳのいずれにとっても望ましいことがある。
【００８９】
場合によっては、（ＡＳトリガ状態の性質に応じて）監視タイマーが動作している間、アクセス端末がカバレージから出ることができ得る。したがって、タイマーの長さを展開シナリオに適した値に調整することができ得る。場合によっては、タイマーは事業者構成可能であり得る。たとえば、タイマーはセルごとに構成可能であり得る。ここで、構成は、（ＣＳＧの展開環境についての最大限を「知り」得る）ＣＳＧか、または（ＣＳＧとの相互運用における良好なユーザエクスペリエンスを保証することに最も強い関係を有し得る）様々なＰＬＭＮの近傍マクロセルのいずれかに関する、システム情報の一部として配信でき得る。ただし、他の場合には、タイマーを、仕様における固定値とするか、ユーザ構成オプションとするか、または何らかの他の方法で定義することができ得る。
【００９０】
第２の実装形態では、ユーザが、現在キャンプされているＰＬＭＮとは異なるＰＬＭＮ中のＣＳＧセルを手動で選択した場合、後続するビヘイビアを提供するようにアクセスポイントを構成することができ得る。いくつかの態様では、アクセス端末が、再選択プロシージャに基づいて手動で選択されたＣＳＧセルにキャンプするために好適な時間期間を判断するために、プロビジョンが作成される。アクセス端末が、選択されたＰＬＭＮ上のＣＳＧのカバレージ中にある場合、１）ＣＳＧへの加入または時間期間が満了するまで、または２）ユーザが別のＣＳＧセルまたはＰＬＭＮを手動で選択するまで、アクセス端末はそこにとどまる。アクセス端末が、選択されたＰＬＭＮ上のＣＳＧのカバレージから出た場合、アクセス端末は、その前の状態に戻り、すなわち、１）手動モードにあった場合はこのＰＬＭＮの前に選択されていた最終ＰＬＭＮに戻り、２）自動モードにあった場合は通常の自動選択に戻る。アクセス端末が、新しいＰＬＭＮ上のＣＳＧのカバレージに移動した場合、１）時間期間が満了する前である場合、より高い優先順位をもつ別のＰＬＭＮ上にある場合でも、アクセス端末はそのＣＳＧセルを選択し、すなわち、ＰＬＭＮ選択モードを無視し、２）タイマーが満了した後である場合、アクセス端末再選択においてＰＬＭＮ選択モードが優先する。
【００９１】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンス（residence）ベースまたは建築物ベースのネットワーク環境）とを含む環境において採用でき得る。アクセス端末（ＡＴ）がそのような環境中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザ経験のために）増分キャパシティの増大と、屋内カバレージと、様々なサービスとを与えることができ得る。
【００９２】
相対的に広いエリアにわたるカバレージを与えるノード（たとえば、アクセスポイント）をマクロノードと呼び、比較的小さいエリア（たとえば、住居）にわたるカバレージを与えるノードをフェムトノードと呼ぶことがある。本明細書の教示は、他のタイプのカバレージエリアに関連付けられたノードに適用できる場合があることを諒解されたい。たとえば、ピコノードは、マクロエリアよりも小さく、フェムトエリアよりも大きいエリアにわたるカバレージ（たとえば、商業建築物内のカバレージ）を与えることができ得る。様々な適用例では、マクロノード、フェムトノード、または他のアクセスポイントタイプのノードを指すために他の用語を使用することがある。たとえば、マクロノードを、アクセスノード、基地局、アクセスポイント、ｅＮｏｄｅＢ、マクロセルなどとして構成する、または呼ぶことがある。また、フェムトノードを、Ｈｏｍｅ  ＮｏｄｅＢ、Ｈｏｍｅ  ｅＮｏｄｅＢ、アクセスポイント基地局、フェムトセルなどとして構成する、または呼ぶことがある。いくつかの実装形態では、ノードを１つまたは複数のセルまたはセクタに関連付ける（たとえば、分割する）ことができ得る。マクロノード、フェムトノード、またはピコノードに関連付けられたセルまたはセクタを、それぞれ、マクロセル、フェムトセル、またはピコセルと呼ぶことがある。
【００９３】
図８に、本明細書の教示を実装することができ得る、いくつかのユーザをサポートするように構成されたワイヤレス通信システム８００を示す。システム８００は、たとえば、マクロセル８０２Ａ〜８０２Ｇなど、複数のセル８０２の通信を可能にし、各セルは、対応するアクセスポイント８０４（たとえば、アクセスポイント８０４Ａ〜８０４Ｇ）によってサービスされる。図８に示すように、アクセス端末８０６（たとえば、アクセス端末８０６Ａ〜８０６Ｌ）は、時間とともにシステム全体にわたって様々な位置に分散でき得る。各アクセス端末８０６は、たとえば、アクセス端末８０６がアクティブかどうか、およびアクセス端末８０６がソフトハンドオフ中かどうかに応じて、所与の瞬間に順方向リンク（ＦＬ）および／または逆方向リンク（ＲＬ）上で１つまたは複数のアクセスポイント８０４と通信することができ得る。ワイヤレス通信システム８００は広い地理的領域にわたってサービスを提供することができ得る。たとえば、マクロセル８０２Ａ〜８０２Ｇは、近隣内の数ブロックまたは地方環境の数マイルをカバーすることができ得る。
【００９４】
図９に、１つまたは複数のフェムトノードがネットワーク環境内に展開された例示的な通信システム９００を示す。特に、システム９００は、比較的小規模のネットワーク環境中に（たとえば、１つまたは複数のユーザ住居９３０中に）設置された複数のフェムトノード９１０（たとえば、フェムトノード９１０Ａおよび９１０Ｂ）を含む。各フェムトノード９１０は、ＤＳＬルータ、ケーブルモデム、ワイヤレスリンク、または他の接続手段（図示せず）を介して、ワイドエリアネットワーク９４０（たとえば、インターネット）およびモバイル事業者コアネットワーク９５０に結合され得る。後述するように、各フェムトノード９１０は、関連するアクセス端末９２０（たとえば、アクセス端末９２０Ａ）、および、随意に、他の（たとえば、ハイブリッドまたは外来）アクセス端末９２０（たとえば、アクセス端末９２０Ｂ）にサービスするように構成でき得る。言い換えれば、フェムトノード９１０へのアクセスを制限することができ得、それによって、所与のアクセス端末９２０を、指定された（１つまたは複数の）（たとえば、ホーム）フェムトノード９１０のセットがサービスすることはでき得るが、指定されていないフェムトノード９１０（たとえば、ネイバー（neighbor）のフェムトノード９１０）がサービスすることはでき得ない。
【００９５】
図１０に、いくつかの追跡エリア１００２（またはルーティングエリアまたは位置登録エリア）が画定されたカバレージマップ１０００の例を示し、そのエリアの各々はいくつかのマクロカバレージエリア１００４を含む。ここで、追跡エリア１００２Ａ、１００２Ｂ、および１００２Ｃに関連付けられたカバレージのエリアは太線によって示され、マクロカバレージエリア１００４は大きい六角形によって表される。追跡エリア１００２はフェムトカバレージエリア１００６をも含む。この例では、フェムトカバレージエリア１００６の各々（たとえば、フェムトカバレージエリア１００６Ｂおよび１００６Ｃ）は、１つまたは複数のマクロカバレージエリア１００４（たとえば、マクロカバレージエリア１００４Ａおよび１００４Ｂ）内に示されている。ただし、フェムトカバレージエリア１００６の一部または全部がマクロカバレージエリア１００４内にない場合があることを諒解されたい。実際問題として、多数のフェムトカバレージエリア１００６（たとえば、フェムトカバレージエリア１００６Ａおよび１００６Ｄ）を所与の追跡エリア１００２またはマクロカバレージエリア１００４内に画定することができ得る。また、１つまたは複数のピコカバレージエリア（図示せず）を所与の追跡エリア１００２またはマクロカバレージエリア１００４内に画定することができ得る。
【００９６】
再び図９を参照すると、フェムトノード９１０の所有者は、たとえば、３Ｇモバイルサービスなど、モバイル事業者コアネットワーク９５０を介して提供されるモバイルサービスに加入することができ得る。さらに、アクセス端末９２０は、マクロ環境と、より小規模の（たとえば、宅内）ネットワーク環境の両方で動作することが可能であり得る。言い換えれば、アクセス端末９２０の現在位置に応じて、アクセス端末９２０は、モバイルオペレータコアネットワーク９５０に関連付けられたマクロセルアクセスポイント９６０によって、または、フェムトノード９１０のセットのいずれか１つ（たとえば、対応するユーザ住居９３０内に常駐するフェムトノード９１０Ａおよび９１０Ｂ）によってサービスされることがある。たとえば、加入者は、自宅の外にいるときは標準のマクロアクセスポイント（たとえば、アクセスノード９６０）によってサービスされ、自宅の中にいるときはフェムトノード（たとえば、ノード９１０Ａ）によってサービスされる。ここで、フェムトノード９１０は、レガシーアクセス端末９２０と後方互換性があり得る。
【００９７】
フェムトノード９１０は、単一の周波数上に展開でき得、または代替として、複数の周波数上に展開でき得る。特定の構成に応じて、単一の周波数、あるいは複数の周波数のうちの１つまたは複数は、マクロアクセスポイント（たとえば、アクセスポイント９６０）によって使用される１つまたは複数の周波数と重なることがある。
【００９８】
いくつかの態様では、アクセス端末９２０は、そのような接続性が可能であるときはいつでも、好適なフェムトノード（たとえば、アクセス端末９２０のホームフェムトノード）に接続するように構成でき得る。たとえば、アクセス端末９２０Ａがユーザの住居９３０内にあるときはいつでも、アクセス端末９２０Ａがホームフェムトノード９１０Ａまたは９１０Ｂのみと通信することが望ましいことがある。
【００９９】
いくつかの態様では、アクセス端末９２０がマクロセルラーネットワーク９５０内で動作しているが、（たとえば、好適ローミングリスト中で定義された）その最も好適なネットワーク上に常駐していない場合、アクセス端末９２０は、ベターシステムリセレクション（ＢＳＲ）を使用して、最も好適なネットワーク（たとえば、好適なフェムトノード９１０）を探索し続け、ベターシステムリセレクションでは、より良好なシステムが現在利用可能であるかどうかを判断するために利用可能なシステムの周期的スキャニングを行い、その後、そのような好適なシステムに関連付けようとすることができ得る。捕捉エントリを用いて、アクセス端末９２０は、特定の帯域およびチャネルの探索を制限することができ得る。たとえば、１つまたは複数のフェムトチャネルが定義され、それにより、領域中のすべてのフェムトノード（またはすべての制限付きフェムトノード）は（１つまたは複数の）フェムトチャネル上で動作することができ得る。最も好適なシステムの探索を周期的に繰り返すことができ得る。好適なフェムトノード９１０が発見されると、アクセス端末９２０は、そのカバレージエリア内にキャンプするためにフェムトノード９１０を選択する。
【０１００】
フェムトノードは、いくつかの態様では、制限されることがある。たとえば、所与のフェムトノードは、いくつかのサービスをいくつかのアクセス端末のみに提供することができ得る。いわゆる制限（または限定）された関連付けを用いた展開では、所与のアクセス端末は、マクロセルモバイルネットワークと、フェムトノードの定義されたセット（たとえば、対応するユーザレジデンス９３０内に常駐するフェムトノード９１０）とによってのみサービスされ得る。いくつかの実装形態では、ノードは、少なくとも１つのノードにシグナリング、データアクセス、登録、ページング、またはサービスのうちの少なくとも１つを与えないように制限され得る。
【０１０１】
一部の態様では、（限定加入者グループホームノードＢと呼ばれることもある）制限されたフェムトノードは、サービスを、制限された準備されたアクセス端末の組に提供するノードである。このセットは、必要に応じて、一時的にまたは永続的に拡大でき得る。いくつかの態様では、限定加入者グループは、ワイヤレスネットワーク（たとえば、ＰＬＭＮ）の１つまたは複数のセルにアクセスすることを許されるが、限定アクセスを有する事業者の加入者を識別する。いくつかの態様では、限定加入者グループは、アクセス端末の共通のアクセス制御リストを共有するアクセスポイント（たとえば、フェムトノード）のセットとして定義でき得る。
【０１０２】
したがって、所与のフェムトノードと所与のアクセス端末との間には様々な関係が存在し得る。たとえば、アクセス端末の観点から、開いたフェムトノードは、制限された関連付けをもたない（たとえば、フェムトノードが任意のアクセス端末へのアクセスを許す）フェムトノードを指すことがある。制限されたフェムトノードは、何らかの形で制限された（たとえば、関連付けおよび／または登録のために制限された）フェムトノードを指すことがある。ホームフェムトノードは、アクセス端末がアクセスし、その上で動作することを許可される（たとえば、永続的なアクセスが、１つまたは複数のアクセス端末の定義されたセットに与えられる）フェムトノードを指すことがある。ハイブリッド（またはゲスト）フェムトノードは、アクセス端末がアクセスし、またはその上で動作することを一時的に許可されるフェムトノードを指すことがある。外来フェムトノードは、おそらく非常事態（たとえば、９１１番）を除いて、アクセス端末がアクセスし、またはその上で動作することを許可されないフェムトノードを指すことがある。
【０１０３】
制限されたフェムトノードの観点から、ホームアクセス端末は、制限されたフェムトノードへのアクセスを許可されるアクセス端末を指す（たとえば、アクセス端末は、フェムトノードへの永続的なアクセスを有する）ことがある。ゲストアクセス端末は、（たとえば、最終期限、使用の時間、バイト、接続カウントまたは何らかの他の１つまたは複数の基準に基づいて限定される）制限されたフェムトノードへの一時的アクセスをもつアクセス端末を指すことがある。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指すことがある。
【０１０４】
便宜のために、本明細書の開示では、フェムトノードの文脈で様々な機能について説明する。ただし、ピコノードは、より大きいカバレージエリアに同じまたは同様の機能を提供することができ得ることを諒解されたい。たとえば、所与のアクセス端末に対して、ピコノードを制限すること、ホームピコノードを定義することなどが可能であり得る。
【０１０５】
本明細書の教示は、複数のワイヤレスアクセス端末のための通信を同時にサポートするワイヤレス多元接続通信システムにおいて採用でき得る。ここで、各端末は、順方向リンクおよび逆方向リンク上の送信を介して１つまたは複数のアクセスポイントと通信することができ得る。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立でき得る。
【０１０６】
ＭＩＭＯシステムは、データ送信用の複数（ＮT）個の送信アンテナおよび複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができ得る。
【０１０７】
ＭＩＭＯシステムは時分割複信（ＴＤＤ）および周波数分割複信（ＦＤＤ）をサポートすることができ得る。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【０１０８】
図１１に、例示的なＭＩＭＯシステム１１００のワイヤレスデバイス１１１０（たとえば、アクセスポイント）およびワイヤレスデバイス１１５０（たとえば、アクセス端末）を示す。デバイス１１１０では、いくつかのデータストリームのトラフィックデータが、データソース１１１２から送信（ＴＸ）データプロセッサ１１１４に供給される。各データストリームは、次いで、それぞれの送信アンテナを介して送信でき得る。
【０１０９】
ＴＸデータプロセッサ１１１４は、符号化データを与えるために、そのデータストリーム用に選択された特定の符号化方式に基づいて、データストリームごとにトラフィックデータをフォーマッティングし、符号化し、インターリーブする。各データストリームの符号化データは、ＯＦＤＭ技法を使用してパイロットデータで多重化でき得る。パイロットデータは、典型的には、知られている方法で処理され、チャネル応答を推定するために受信機システムにおいて使用でき得る知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１１３０によって実行される命令によって判断でき得る。データメモリ１１３２は、プロセッサ１１３０またはデバイス１１１０の他の構成要素によって使用されるプログラムコード、データ、および他の情報を記憶することができ得る。
【０１１０】
次いで、すべてのデータストリームの変調シンボルがＴＸ  ＭＩＭＯプロセッサ１１２０に供給され、ＴＸ  ＭＩＭＯプロセッサ１１２０はさらに（たとえば、ＯＦＤＭ用に）その変調シンボルを処理することができ得る。次いで、ＴＸ  ＭＩＭＯプロセッサ１１２０は、ＮT個の変調シンボルストリームをＮT個のトランシーバ（ＸＣＶＲ）１１２２Ａ〜１１２２Ｔに供給する。いくつかの態様では、ＴＸ  ＭＩＭＯプロセッサ１１２０は、データストリームのシンボルと、シンボルの送信元のアンテナとにビームフォーミング重みを付加する。
【０１１１】
各トランシーバ１１２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１１２２Ａ〜１１２２ＴからのＮT個の変調信号は、それぞれ、ＮT個のアンテナ１１２４Ａ〜１１２４Ｔから送信される。
【０１１２】
デバイス１１５０では、送信された変調信号はＮR個のアンテナ１１５２Ａ〜１１５２Ｒによって受信され、各アンテナ１１５２からの受信信号は、それぞれのトランシーバ（ＸＣＶＲ）１１５４Ａ〜１１５４Ｒに供給される。各トランシーバ１１５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１１３】
次いで、受信（ＲＸ）データプロセッサ１１６０は、特定の受信機処理技法に基づいてＮR個のトランシーバ１１５４からＮR個の受信シンボルストリームを受信し、処理して、ＮT個の「検出」シンボルストリームを供給する。次いで、ＲＸデータプロセッサ１１６０は、各検出シンボルストリームを復調し、デインターリーブし、復号して、データストリームに対するトラフィックデータを復元する。ＲＸデータプロセッサ１１６０による処理は、デバイス１１１０におけるＴＸ  ＭＩＭＯプロセッサ１１２０およびＴＸデータプロセッサ１１１４によって実行される処理を補足するものである。
【０１１４】
プロセッサ１１７０は、どのプリコーディング行列（以下で論じる）を使用すべきかを定期的に判断する。プロセッサ１１７０は、行列インデックス部とランク値部とを備える逆方向リンクメッセージを作成する。データメモリ１１７２は、プロセッサ１１７０またはデバイス１１５０の他の構成要素によって使用されるプログラムコード、データ、および他の情報を記憶することができ得る。
【０１１５】
逆方向リンクメッセージは、通信リンクおよび／または受信データストリームに関する様々なタイプの情報を備えることができ得る。次いで、逆方向リンクメッセージは、データソース１１３６からいくつかのデータストリームのトラフィックデータをも受信するＴＸデータプロセッサ１１３８によって処理され、変調器１１８０によって変調され、トランシーバ１１５４Ａ〜１１５４Ｒによって調整され、デバイス１１１０に戻される。
【０１１６】
デバイス１１１０において、デバイス１１５０からの変調信号は、アンテナ１１２４によって受信され、トランシーバ１１２２によって調整され、復調器（ＤＥＭＯＤ）１１４０によって復調され、ＲＸデータプロセッサ１１４２によって処理されて、デバイス１１５０によって送信された逆方向リンクメッセージが抽出される。次いで、プロセッサ１１３０は、ビームフォーミング重みを判断するためにどのプリコーディング行列を使用すべきかを判断し、次いで、抽出されたメッセージを処理する。
【０１１７】
図１１はまた、通信構成要素が、本明細書で教示するネットワーク制御動作を実行する１つまたは複数の構成要素を含むことができ得ることを示す。たとえば、ネットワーク制御構成要素１１９２は、デバイス１１５０のプロセッサ１１７０および／または他の構成要素と協働して、本明細書で教示するネットワーク選択モードおよびワイヤレスネットワークを選択することができ得る。各デバイス１１１０および１１５０について、説明する構成要素の２つ以上の機能が単一の構成要素によって提供でき得ることを諒解されたい。たとえば、単一の処理構成要素がネットワーク制御構成要素１１９２およびプロセッサ１１７０の機能を提供することができ得る。
【０１１８】
本明細書の教示は、様々なタイプの通信システムおよび／またはシステム構成要素に組み込むことができ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用でき得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用でき得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計でき得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができ得る。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができ得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができ得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）
システム、および他のタイプのシステムで実装でき得る。ＬＴＥは、Ｅ−ＵＴＲＡを使用するＵＭＴＳのリリースである。ＵＴＲＡ、ＧＳＭ、Ｅ−ＵＴＲＡ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用でき得ることを理解されたい。
【０１１９】
本明細書の教示は、様々な装置（たとえば、ノード）に組み込む（たとえば、装置内に実装する、または装置によって実行する）ことができ得る。いくつかの態様では、本明細書の教示に従って実装されるノード（たとえば、ワイヤレスノード）はアクセスポイントまたはアクセス端末を備えることができ得る。
【０１２０】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができ得る。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成された他の好適デバイスに組み込むことができ得る。
【０１２１】
アクセスポイントは、ＮｏｄｅＢ、ｅＮｏｄｅＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、Ｈｏｍｅ  ｅＮＢ（ＨｅＮＢ）、フェムトセル、フェムトノード、ピコノード、または何らかの他の同様の用語を備えるか、それらのいずれかとして実装されるか、あるいはそれらのいずれかとして知られる。
【０１２２】
いくつかの態様では、ノード（たとえば、アクセスポイント）は、通信システムのためのアクセスノードを備えることができ得る。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与えることができ得る。したがって、アクセスノードは、別のノード（たとえば、アクセス端末）がネットワークまたは何らかの他の機能にアクセスできるようにすることができ得る。さらに、一方または両方のノードはポータブルでも、場合によっては比較的非ポータブルでもよいことを諒解されたい。
【０１２３】
また、ワイヤレスノードは、非ワイヤレス方式で（たとえば、ワイヤード接続を介して）情報を送信および／または受信することができ得ることを諒解されたい。したがって、本明細書で説明する受信機および送信機は、非ワイヤレス媒体を介して通信するために適切な通信インターフェース構成要素（たとえば、電子的または光学的インターフェース構成要素）を含むことができ得る。
【０１２４】
ワイヤレスノードは、好適なワイヤレス通信技術に基づくあるいはサポートする１つまたは複数のワイヤレス通信リンクを介して通信することができ得る。たとえば、いくつかの態様では、ワイヤレスノードはネットワークに関連付けることができ得る。いくつかの態様では、ネットワークはローカルエリアネットワークまたはワイドエリアネットワークを備えることができ得る。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができ得る。同様に、ワイヤレスノードは、様々な対応する変調方式または多重化方式のうちの１つまたは複数をサポートまたは使用することができ得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができ得る。たとえば、ワイヤレスノードは、ワイヤレス媒体上の通信を可能にする様々な構成要素（たとえば、信号発生器および信号処理器）を含むことができ得る関連する送信機構成要素および受信機構成要素をもつワイヤレストランシーバを備えることができ得る。
【０１２５】
（たとえば、添付の図の１つまたは複数に関して）本明細書で説明した機能は、いくつかの態様では、添付の特許請求の範囲において同様に指定された「手段」機能に対応することがある。図１２、図１３、図１４、および図１５を参照すると、装置１２００、１３００、１４００、および１５００は一連の相互に関連する機能モジュールとして表される。ここで、セル選択モジュール１２０２、１３０８、または１４０２は、少なくともいくつかの態様では、たとえば、本明細書で説明するセルセレクタに対応することがある。ワイヤレスネットワーク識別モジュール１２０４または１５０６は、少なくともいくつかの態様では、たとえば、本明細書で説明するネットワークセレクタに対応することがある。ワイヤレスネットワーク選択モード切替えモジュール１２０６または１３０４は、少なくともいくつかの態様では、たとえば、本明細書で説明するネットワークセレクタに対応することがある。ワイヤレスネットワーク登録モジュール１２０８または１５０８は、少なくともいくつかの態様では、たとえば、本明細書で説明する通信コントローラに対応することがある。キャンピング（camping）判断モジュール１２１０、１３０２、または１４０４は、少なくともいくつかの態様では、たとえば、本明細書で説明する通信コントローラに対応することがある。記録維持モジュール１２１２、１３０６、または１５０２は、少なくともいくつかの態様では、たとえば、本明細書で説明するネットワークセレクタに対応することがある。ワイヤレスカバレージ判断モジュール１４０６は、少なくともいくつかの態様では、たとえば、本明細書で説明する通信コントローラに対応することがある。ワイヤレスネットワーク選択モジュール１４０８は、少なくともいくつかの態様では、たとえば、本明細書で説明するネットワークセレクタに対応することがある。ＣＳＧ指定モジュール１４１０は、少なくともいくつかの態様では、たとえば、本明細書で説明するネットワークセレクタに対応することがある。セル選択モジュール１５０４は、少なくともいくつかの態様では、たとえば、本明細書で説明するセルセレクタに対応することがある。ワイヤレスネットワーク復帰モジュール１５１０は、少なくともいくつかの態様では、たとえば、本明細書で説明するネットワークセレクタに対応することがある。
【０１２６】
図１２〜図１５のモジュールの機能は、本明細書の教示に合致する様々な方法で実装でき得る。いくつかの態様では、これらのモジュールの機能は、１つまたは複数の電気構成要素として実装でき得る。いくつかの態様では、これらのブロックの機能は、１つまたは複数のプロセッサ構成要素を含む処理システムとして実装でき得る。いくつかの態様では、これらのモジュールの機能は、たとえば、１つまたは複数の集積回路（たとえば、ＡＳＩＣ）の少なくとも一部を使用して実装でき得る。本明細書で説明するように、集積回路は、プロセッサ、ソフトウェア、他の関連した構成要素、またはそれらの何らかの組合せを含むことができ得る。これらのモジュールの機能は、本明細書で教示する方法とは別の何らかの方法で実装することもでき得る。いくつかの態様では、図１２〜図１５中の破線ブロックのうちの１つまたは複数は随意である。
【０１２７】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用でき得る。したがって、第１および第２の要素への言及は、そこで２つの要素のみが使用でき得ること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１２８】
情報および信号は様々な異なる技術および技法のいずれかを使用して表すことができ得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【０１２９】
さらに、本明細書で開示された態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計でき得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装でき得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができ得るが、そのような実装の決定は、本開示の範囲からの逸脱を生じるものと解釈すべきではない。
【０１３０】
本明細書で開示した態様に関して説明した様々な例示的な論理ブロック、モジュール、および回路は、集積回路（ＩＣ）、アクセス端末、またはアクセスポイント内に実装でき得るか、またはそれらによって実行でき得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書に記載の機能を実行するように設計されたそれらの任意の組合せを備えることができ得、ＩＣの内部に、ＩＣの外側に、またはその両方に常駐するコードまたは命令を実行することができ得る。汎用プロセッサはマイクロプロセッサとすることができ得るが、代替として、プロセッサは、任意の従来のプロセッサ、コントローラ、マイクロコントローラ、または状態機械とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【０１３１】
開示されたプロセス中のステップの特定の順序または階層は例示的な手法の一例であることを理解されたい。設計の選好に基づいて、プロセス中のステップの特定の順序または階層は本開示の範囲内のまま再構成でき得ることを理解されたい。添付の方法クレームは、様々なステップの要素を例示的な順序で提示したものであり、提示された特定の順序または階層に限定されるものではない。
【０１３２】
１つまたは複数の例示的な実施形態では、説明した機能はハードウェア、ソフトウェア、ファームウェア、またはその任意の組合せで実装でき得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装でき得ることを諒解されたい。
【０１３３】
開示された態様の前述の説明は、当業者が本開示を実施または使用できるようにするために提供されるものである。これらの態様への様々な変更は当業者にはすぐに明らかになり、本明細書で定義された包括的な原理は本開示の範囲から逸脱することなく他の態様に適用でき得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［１］
限定加入者グループを広告しているセルを選択することと、
前記選択されたセルに関連するワイヤレスネットワークを識別することと、
前記ワイヤレスネットワークの前記識別の結果として、第１のワイヤレスネットワーク選択モードから第２のワイヤレスネットワーク選択モードに切り替わることと、
前記識別されたワイヤレスネットワークに登録することと
を備える、通信の方法。
［２］
前記切替えは、前記識別されたワイヤレスネットワークが現在登録されているワイヤレスネットワークとは異なるという判断の結果として実行される、［１］に記載の方法。
［３］
前記識別されたワイヤレスネットワークが訪問先ワイヤレスネットワークを備え、
前記現在登録されているネットワークがホームワイヤレスネットワークを備える、［２］に記載の方法。
［４］
前記切替えは、前記識別されたワイヤレスネットワークが、現在好適であるワイヤレスネットワークとは異なるという判断の結果として実行される、［１］に記載の方法。
［５］
前記識別されたワイヤレスネットワークが訪問先ワイヤレスネットワークを備え、
前記現在好適であるネットワークがホームワイヤレスネットワークを備える、［４］に記載の方法。
［６］
前記識別されたワイヤレスネットワークがパブリックランドモバイルネットワークを備える、［１］に記載の方法。
［７］
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、［１］に記載の方法。
［８］
前記第１のワイヤレスネットワーク選択モードが自動パブリックランドモバイルネットワーク選択モードを備える、［１］に記載の方法。
［９］
前記第２のワイヤレスネットワーク選択モードが手動パブリックランドモバイルネットワーク選択モードを備える、［８］に記載の方法。
［１０］
前記第１のワイヤレスネットワーク選択モードが、マクロセルにキャンプしているときに使用されるように定義され、
前記第２のワイヤレスネットワーク選択モードが、限定加入者グループセルにキャンプしているときに使用されるように定義される、［１］に記載の方法。
［１１］
前記セルの前記選択が前記セルにキャンプすることを生じ、前記方法が、
前記第１のワイヤレスネットワーク選択モードの記録を維持することと、
前記セルに前記キャンプすることまたは前記限定加入者グループの別のセルにキャンプすることが終了したと判断することと、
前記判断に基づいて、前記記録によって識別される前記第１のワイヤレスネットワーク選択モードに戻ることと
をさらに備える、［１］に記載の方法。
［１２］
前記セルまたは前記限定加入者グループの別のセルにそのキャンプすることが終了したという前記判断の後、規定された時間期間内に、前記セルまたは前記別のセルのワイヤレスカバレージに入った場合、通信を確立するために前記セルまたは前記限定加入者グループの前記別のセルを選択することをさらに備える、［１１］に記載の方法。
［１３］
通信の前記確立が、ページ、データ、およびブロードキャスト情報からなるグループのうちの少なくとも１つを受信するために、前記セルまたは前記別のセルにアクセスすること、または前記セルまたは前記別のセルにキャンプすることを備える、［１１］に記載の方法。
［１４］
限定加入者グループを広告しているセルを選択するように構成されたセルセレクタと、
前記選択されたセルに関連するワイヤレスネットワークを識別するように構成され、前記ワイヤレスネットワークの前記識別の結果として、第１のワイヤレスネットワーク選択モードから第２のワイヤレスネットワーク選択モードに切り替えるようにさらに構成されたネットワークセレクタと、
前記識別されたワイヤレスネットワークに登録するように構成された通信コントローラと
を備える、通信のための装置。
［１５］
前記切替えは、前記識別されたワイヤレスネットワークが現在登録されているワイヤレスネットワークとは異なるという判断の結果として実行される、［１４］に記載の装置。
［１６］
前記識別されたワイヤレスネットワークが訪問先ワイヤレスネットワークを備え、
前記現在登録されているネットワークがホームワイヤレスネットワークを備える、［１５］に記載の装置。
［１７］
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、［１４］に記載の装置。
［１８］
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、［１４］に記載の装置。
［１９］
前記セルの前記選択が前記セルにキャンプすることを生じ、
前記ネットワークセレクタが、前記第１のワイヤレスネットワーク選択モードの記録を維持するようにさらに構成され、
前記通信コントローラが、前記セルに前記キャンプすることまたは前記限定加入者グループの別のセルにキャンプすることが終了したと判断するようにさらに構成され、
前記ネットワークセレクタが、前記判断に基づいて、前記記録によって識別される前記第１のワイヤレスネットワーク選択モードに戻るようにさらに構成された、［１４］に記載の装置。
［２０］
限定加入者グループを広告しているセルを選択するための手段と、
前記選択されたセルに関連するワイヤレスネットワークを識別するための手段と、
前記ワイヤレスネットワークの前記識別の結果として、第１のワイヤレスネットワーク選択モードから第２のワイヤレスネットワーク選択モードに切り替わるための手段と、  前記識別されたワイヤレスネットワークに登録するための手段と
を備える、通信のための装置。
［２１］
前記切替えは、前記識別されたワイヤレスネットワークが現在登録されているワイヤレスネットワークとは異なるという判断の結果として実行される、［２０］に記載の装置。
［２２］
前記識別されたワイヤレスネットワークが訪問先ワイヤレスネットワークを備え、
前記現在登録されているネットワークがホームワイヤレスネットワークを備える、［２１］に記載の装置。
［２３］
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、［２０］に記載の装置。
［２４］
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、［２０］に記載の装置。
［２５］
前記セルの前記選択が前記セルにキャンプすることを生じ、
前記装置が、前記第１のワイヤレスネットワーク選択モードの記録を維持するための手段をさらに備え、
前記装置が、前記セルに前記キャンプにすることまたは前記限定加入者グループの別のセルにキャンプすることが終了したと判断するための手段をさらに備え、
切替えのための前記手段が、前記判断に基づいて、前記記録によって識別される前記第１のワイヤレスネットワーク選択モードに戻るように構成される、［２０］に記載の装置。
［２６］
限定加入者グループを広告しているセルを選択することと、
前記選択されたセルに関連するワイヤレスネットワークを識別することと、
前記ワイヤレスネットワークの前記識別の結果として、第１のワイヤレスネットワーク選択モードから第２のワイヤレスネットワーク選択モードに切り替わることと、
前記識別されたワイヤレスネットワークに登録することと
をコンピュータに行わせるためのコードを備えるコンピュータ可読媒体
を備えるコンピュータプログラム製品。
［２７］
前記切替えは、前記識別されたワイヤレスネットワークが現在登録されているワイヤレスネットワークとは異なるという判断の結果として実行される、［２６］に記載のコンピュータプログラム製品。
［２８］
前記識別されたワイヤレスネットワークが訪問先ワイヤレスネットワークを備え、
前記現在登録されているネットワークがホームワイヤレスネットワークを備える、［２７］に記載のコンピュータプログラム製品。
［２９］
前記セルの前記選択が、
少なくとも１つの限定加入者グループを広告している利用可能なセルをスキャンすることと、
少なくとも１つの限定加入者グループを広告している前記利用可能なセルに対応する少なくとも１つの識別子を備えるリストを表示することと、
ユーザ入力デバイスからの指示に基づいて、前記利用可能なセルのうちの１つを選択することと
を備える、［２６］に記載のコンピュータプログラム製品。
［３０］
前記第１のワイヤレスネットワーク選択モードが自動パブリックランドモバイルネットワーク選択モードを備え、
前記第２のワイヤレスネットワーク選択モードが手動パブリックランドモバイルネットワーク選択モードを備える、［２６］に記載のコンピュータプログラム製品。
［３１］
前記セルの前記選択が前記セルにキャンプすることを生じ、
前記コンピュータ可読媒体が、前記コンピュータに、前記第１のワイヤレスネットワーク選択モードの記録を維持させるためのコードをさらに備え、
前記コンピュータ可読媒体が、前記コンピュータに、前記セルに前記キャンプすることまたは前記限定加入者グループの別のセルにキャンプすることが終了したと判断させるためのコードをさらに備え、
前記コンピュータ可読媒体が、前記コンピュータに、前記判断に基づいて、前記記録によって識別される前記第１のワイヤレスネットワーク選択モードに戻らせるためのコードをさらに備える、［２６］に記載のコンピュータプログラム製品。
［３２］
アクセス端末が限定加入者グループのセルにもはやキャンプされていないと判断することと、
前記判断の結果として、第１のワイヤレスネットワーク選択モードから第２のワイヤレスネットワーク選択モードに切り替わることと
を備える、通信の方法。
［３３］
前記第１および第２のワイヤレスネットワーク選択モードが、第１および第２のパブリックランドモバイルネットワーク選択モードを備える、［３２］に記載の方法。
［３４］
前記第２のワイヤレスネットワーク選択モードが、前記アクセス端末によって、前記限定加入者グループの前記セルにキャンプするより前に使用されていたワイヤレスネットワーク選択モードを備え、前記方法が、前記切替え中に使用するための前記第２のワイヤレスネットワーク選択モードの記録を維持することをさらに備える、［３２］に記載の方法。
［３５］
前記第２のワイヤレスネットワーク選択モードが自動パブリックランドモバイルネットワーク選択モードを備える、［３４］に記載の方法。
［３６］
前記第１のワイヤレスネットワーク選択モードが手動パブリックランドモバイルネットワーク選択モードを備える、［３５］に記載の方法。
［３７］
前記第１のワイヤレスネットワーク選択モードが、限定加入者グループセルにキャンプしているときに使用されるように定義され、
前記第２のワイヤレスネットワーク選択モードが、マクロセルにキャンプしているときに使用されるように定義される、［３２］に記載の方法。
［３８］
前記セルが第１のワイヤレスネットワーク中にあり、
前記第１のワイヤレスネットワーク選択モードから前記第２のワイヤレスネットワーク選択モードへの前記切替えが、前記アクセス端末が、前記第１のワイヤレスネットワーク中にある前記限定加入者グループの別のセルを選択することができないかどうかに基づく、［３２］に記載の方法。
［３９］
前記アクセス端末が前記限定加入者グループのいずれのセルにもキャンプされなくなった後、前記アクセス端末が、規定された時間期間内に前記限定加入者グループの前記セルまたは別のセルのワイヤレスカバレージに入る場合、通信を確立するために前記セルまたは前記別のセルを選択することをさらに備える、［３２］に記載の方法。
［４０］
通信の前記確立が、ページ、データ、およびブロードキャスト情報からなるグループのうちの少なくとも１つを受信するために、前記セルまたは前記別のセルにアクセスすること、または前記セルまたは前記別のセルにキャンプすることを備える、［３９］に記載の方法。
［４１］
前記第２のワイヤレスネットワーク選択モードが自動ネットワーク選択モードを備え、  前記アクセス端末が、前記セルの前記選択の結果として、前記第２のワイヤレスネットワーク選択モードから前記第１のワイヤレスネットワーク選択モードに切り替える、［３９］に記載の方法。
［４２］
前記セルにキャンプすることが、前記セルからページを受信することと、前記セルとの通信を確立することと、前記セルからのブロードキャスト送信を復号することとからなるグループのうちの少なくとも１つを備える、［３２］に記載の方法。
［４３］
前記セルが訪問先ワイヤレスネットワーク上にあり、
前記アクセス端末が、前記切替えの結果として、ホームワイヤレスネットワーク上の別のセルにキャンプする、［３２］に記載の方法。
［４４］
アクセス端末が限定加入者グループのセルにもはやキャンプされていないと判断するように構成された通信コントローラと、
前記判断の結果として、第１のワイヤレスネットワーク選択モードから第２のワイヤレスネットワーク選択モードに切り替わるように構成されたネットワークセレクタと
を備える、通信のための装置。
［４５］
前記第１および第２のワイヤレスネットワーク選択モードが、第１および第２のパブリックランドモバイルネットワーク選択モードを備える、［４４］に記載の装置。
［４６］
前記第２のワイヤレスネットワーク選択モードが、前記アクセス端末によって、前記限定加入者グループの前記セルにキャンプするより前に使用されていたワイヤレスネットワーク選択モードを備え、
前記ネットワークセレクタが、前記切替え中に使用するための前記第２のワイヤレスネットワーク選択モードの記録を維持するようにさらに構成された、［４４］に記載の装置。
［４７］
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、［４６］に記載の装置。
［４８］
前記セルが訪問先ワイヤレスネットワーク上にあり、
前記アクセス端末が、前記切替えの結果として、ホームワイヤレスネットワーク上の別のセルにキャンプする、［４４］に記載の装置。
［４９］
アクセス端末が限定加入者グループのセルにもはやキャンプされていないと判断するための手段と、
前記判断の結果として、第１のワイヤレスネットワーク選択モードから第２のワイヤレスネットワーク選択モードに切り替わるための手段と
を備える、通信のための装置。
［５０］
前記第１および第２のワイヤレスネットワーク選択モードが、第１および第２のパブリックランドモバイルネットワーク選択モードを備える、［４９］に記載の装置。
［５１］
前記第２のワイヤレスネットワーク選択モードが、前記アクセス端末によって、前記限定加入者グループの前記セルにキャンプするより前に使用されていたワイヤレスネットワーク選択モードを備え、
前記装置が、前記切替え中に使用するための前記第２のワイヤレスネットワーク選択モードの記録を維持する手段をさらに備える、［４９］に記載の装置。
［５２］
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、［５１］に記載の装置。
［５３］
前記セルが訪問先ワイヤレスネットワーク上にあり、
前記アクセス端末が、前記切替えの結果として、ホームワイヤレスネットワーク上の別のセルにキャンプする、［４９］に記載の装置。
［５４］
アクセス端末が限定加入者グループのセルにもはやキャンプされていないと判断することと、
前記判断の結果として、第１のワイヤレスネットワーク選択モードから第２のワイヤレスネットワーク選択モードに切り替わることと
をコンピュータに行わせるためのコードを備えるコンピュータ可読媒体
を備えるコンピュータプログラム製品。
［５５］
前記第１および第２のワイヤレスネットワーク選択モードが、第１および第２のパブリックランドモバイルネットワーク選択モードを備える、［５４］に記載のコンピュータプログラム製品。
［５６］
前記第２のワイヤレスネットワーク選択モードが、前記アクセス端末によって、前記限定加入者グループの前記セルにキャンプするより前に使用されていたワイヤレスネットワーク選択モードを備え、
前記コンピュータ可読媒体が、前記コンピュータに、前記切替え中に使用するための前記第２のワイヤレスネットワーク選択モードの記録を維持させるためのコードをさらに備える、［５４］に記載のコンピュータプログラム製品。
［５７］
前記第２のワイヤレスネットワーク選択モードが自動パブリックランドモバイルネットワーク選択モードを備え、
前記第１のワイヤレスネットワーク選択モードが手動パブリックランドモバイルネットワーク選択モードを備える、［５６］に記載のコンピュータプログラム製品。
［５８］
前記セルが訪問先ワイヤレスネットワーク上にあり、
前記アクセス端末が、前記切替えの結果として、ホームワイヤレスネットワーク上の別のセルにキャンプする、［５４］に記載のコンピュータプログラム製品。
【図１】
0005356533.tif 000002
【図２】
0005356533.tif 000003
【図３】
0005356533.tif 000004
【図４】
0005356533.tif 000005
【図５】
0005356533.tif 000006
【図６】
0005356533.tif 000007
【図７】
0005356533.tif 000008
【図８】
0005356533.tif 000009
【図９】
0005356533.tif 000010
【図１０】
0005356533.tif 000011
【図１１】
0005356533.tif 000012
【図１２】
0005356533.tif 000013
【図１３】
0005356533.tif 000014
【図１４】
0005356533.tif 000015
【図１５】
0005356533.tif 000016